(57)【特許請求の範囲】
【請求項１】
無線通信のための方法であって、
アクセスポイントにおいて、少なくとも２つのサブメッセージを備えるアグリゲートされたメッセージを生成することと、前記少なくとも２つのサブメッセージの各々がペイロードを備え、前記アグリゲートされたメッセージが、複数の局が複数のアップリンクデータを送信するための指定された時間および継続時間の指示を備える、
前記複数の局に前記アグリゲートされたメッセージを送信することと、ここにおいて、前記アグリゲートされたメッセージは、前記指定された時間および前記指定された継続時間に前記複数のアップリンクデータを送信するように前記複数の局に命令する制御情報を含む、
前記指定された時間に前記複数のアップリンクデータの送信を受信することと、前記複数のアップリンクデータの各送信は、同じ継続時間を有する、
を備える、方法。
【請求項２】
前記サブメッセージのうちの少なくとも１つは、少なくとも１つの多ユーザ物理層データユニット（ＰＰＤＵ）を備える、
請求項１に記載の方法。
【請求項３】
１つまたは複数の局に肯定応答メッセージを送信することをさらに備える、
請求項１に記載の方法。
【請求項４】
前記アグリゲートされたメッセージは、許容された送信モードの指示を備える局（ＳＴＡ）情報フィールドを備えるアップリンクスケジューリングメッセージを備える、請求項１に記載の方法。
【請求項５】
請求項１から請求項４のうちのいずれかに記載の方法を実行するための命令を備える、コンピュータプログラム。
【請求項６】
無線通信のための装置であって、
少なくとも２つのサブメッセージを備えるアグリゲートされたメッセージを生成するための手段と、前記少なくとも２つのサブメッセージの各々がペイロードを備え、前記アグリゲートされたメッセージが、複数の局が複数のアップリンクデータを送信するための同じ継続時間の指示を備える、
前記複数の局に前記アグリゲートされたメッセージを送信するための手段と、ここにおいて、前記アグリゲートされたメッセージは、前記指示された同じ継続時間に従って前記複数のアップリンクデータを送信するように前記複数の局に命令する、
を備える、装置。
【請求項７】
前記サブメッセージのうちの少なくとも１つは、少なくとも１つの多ユーザ物理層データユニット（ＰＰＤＵ）を備える、
請求項６に記載の装置。
【請求項８】
前記１つまたは複数の局に肯定応答メッセージを送信することをさらに備える、
請求項６に記載の装置。
【請求項９】
前記アグリゲートされたメッセージは、許容された送信モードの指示を備える局（ＳＴＡ）情報フィールドを備えるアップリンクスケジューリングメッセージを備える、請求項６に記載の装置。
【発明の詳細な説明】
【技術分野】
【０００１】
[0001]本開示の幾つかの態様は、概して、無線通信に関し、より具体的には、
無線ネットワークにおける多ユーザアップリンク通信のための方法および装置に関する。
【背景技術】
【０００２】
[0002]多くの電気通信システムでは、幾つかの対話する、空間的に分離されたデバイスの間でメッセージをやり取りするために通信ネットワークが使用される。ネットワークは、例えば、メトロポリタンエリア、ローカルエリア、またはパーソナルエリアであることができる地理上の範囲により分類されることができる。そのようなネットワークは、それぞれワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれることができる。ネットワークはまた、様々なネットワークノードおよびデバイスを相互に接続するために使用される交換／ルーティング技法（例えば、回路交換対パケット交換）、送信のために使用される物理的媒体のタイプ（例えば、有線対無線）、および、使用される通信プロトコルの組（例えば、インターネットプロトコルの組、ＳＯＮＥＴ（同期光ネットワーキング）、イーサネット（登録商標）、等）により異なる。
【０００３】
[0003]無線ネットワークは、ネットワーク要素がモバイルであり従って動作的な接続ニーズを有するとき、または、ネットワークアーキテクチャが固定されたトポロジーではなくアドホックで形成される場合にしばしば好まれる。無線ネットワークは、無線、マイクロ波、赤外線、光、等の周波数帯域で電磁波を使用する非誘導伝播モードで無形の物理的媒体を使用する。無線ネットワークは、有利なことに、固定された無線ネットワークと比較されたときにユーザモビリティおよび高速のフィールド配備を容易にする。
【０００４】
[0004]無線通信システムに関する帯域幅上の要求事項がますます増加するという課題に対処するために、複数の局（ＳＴＡ）が高データスループットを達成しつつチャネルリソースを共有することによって単一のアクセスポイントと通信するのを可能にするための異なる方式が開発中である。限られた通信リソースであるため、アクセスポイントと複数のＳＴＡとの間で通るトラフィックの量を低減させることが望ましい。例えば、複数のＳＴＡがアクセスポイントにアップリンク通信を送るときには、全通信のアップリンクを完了させるためにトラフィックの量を最小限にすることが望ましい。従って、複数のＳＴＡからのアップリンク送信のための向上されたプロトコルの必要性が存在する。
【発明の概要】
【０００５】
[0005]添付された請求項の範囲内でのシステム、方法およびデバイスの様々な実装は、各々、幾つかの態様を有しており、それらの態様のうちのいずれの単一の態様も、本明細書において説明される望ましい属性を単独で担っているわけではない。本明細書では、添付された請求項の範囲を限定することなしに、幾つかの顕著な特徴が説明される。
【０００６】
[0006]この明細書で説明される主題の１つまたは複数の実装の詳細が、添付される図面および以下の説明において詳述される。他の特徴、態様、および利点がそれらの説明、図面、および請求項から明らかになるであろう。以下の図の相対的な寸法は、一定の縮尺で描かれ得ないことに注目すること。
【０００７】
[0007]本開示の一態様は、無線通信のための方法を提供する。方法は、アクセスポイントにおいて、アグリゲートされた（束ねられた）メッセージを生成することを含む。アグリゲートされたメッセージは、単一ユーザブロードキャストメッセージと、少なくとも１つの他のメッセージと、を含む。方法は、１つまたは複数の局にアグリゲートされたメッセージを送信することをさらに含む。
【０００８】
[0008]様々な実施形態において、アグリゲートされたメッセージの各サブメッセージは、物理層（ＰＨＹ）制御フィールドとメディアアクセス制御（ＭＡＣ）ペイロードとを備える少なくとも物理層データユニット（ＰＰＤＵ）を含むことができる。様々な実施形態において、少なくとも１つの他のメッセージは、少なくとも１つの多ユーザ物理層データユニット（ＰＰＤＵ）を含むことができる。様々な実施形態において、少なくとも１つの他のメッセージは、制御またはスケジューリング情報を除く少なくとも１つの単一ユーザ物理層データユニット（ＰＰＤＵ）を含むことができる。
【０００９】
[0009]様々な実施形態において、アグリゲートされたメッセージは、単一ユーザブロードキャストメッセージと、１つまたは複数の多ユーザメッセージと、を含むことができる。様々な実施形態において、アグリゲートされたメッセージは、少なくとも１つの他のメッセージが、１つまたは複数の局のすべてが復号するように指示される少なくともメッセージを含むかどうかを示す共通物理層ヘッダを含むことができる。様々な実施形態において、各メッセージは、少なくとも１つの他のメッセージが、１つまたは複数の局のすべてが復号するように指示される少なくともメッセージを含むかどうかを示す物理層ヘッダを含むことができる。
【００１０】
[0010]様々な実施形態において、単一ユーザブロードキャストメッセージは、
指定された時間に複数のアップリンクデータを送信するように１つまたは複数の局に命令する制御情報を含む。様々な実施形態において、方法は、指定された時間に複数のアップリンクデータの送信を受信することをさらに含むことができ、複数のアップリンクデータの各送信は、同じ継続時間を有する。様々な実施形態において、方法は、１つまたは複数の局に肯定応答メッセージを送信することをさらに含むことができる。
【００１１】
[0011]様々な実施形態において、各メッセージは、アップリンクスケジューリングメッセージを含むことができる。様々な実施形態において、アップリンクスケジューリングメッセージは、アップリンクデータの送信の継続時間を示す物理層データユニット（ＰＰＤＵ）継続時間フィールドを含むことができる。様々な実施形態において、アップリンクスケジューリングメッセージは、許容された送信モードの指示を含む局アクセス情報フィールドを含むことができる。
【００１２】
[0012]様々な実施形態において、局アクセス情報フィールドは、周波数分割多元接続（ＦＤＭＡ）システムを使用するアップリンクデータに関するトーン／周波数を示すトーン割り振りフィールドを含むことができる。様々な実施形態において、アップリンクスケジューリングメッセージは、アップリンク通信に参加することができる局を示したグループ識別子（ＧＩＤ）フィールドを含むことができる。様々な実施形態において、アップリンクスケジューリングメッセージは、アップリンク通信に参加することができる１つまたは複数の局を識別するマルチキャストアドレスを示す受信機アドレス（ＲＡ）フィールドを含むことができる。様々な実施形態において、アップリンクスケジューリングメッセージは、１つまたは複数の局に関するレート情報を示すフィールドを含むことができる。
【００１３】
[0013]様々な実施形態において、方法は、１つまたは複数の局にアップリンクスケジューリングメッセージを送信することをさらに含むことができる。アップリンクスケジューリングメッセージは、アップリンクスケジューリングメッセージに応答して局アクセス情報メッセージを送信するように１つまたは複数の局に命令することができる。方法は、複数の局アクセス情報メッセージを受信することをさらに含むことができる。局アクセス情報メッセージは、局アクセス情報を示すことができる。様々な実施形態において、単一ユーザブロードキャストメッセージは、１つ以上の局に関するデータ、制御、または管理情報を含むことができる。
【００１４】
[0014]別の態様は、無線通信のために構成された装置を提供する。装置は、
アグリゲートされたメッセージを送信のために生成するように構成されたプロセッサを含む。アグリゲートされたメッセージは、単一ユーザブロードキャストメッセージと、少なくとも１つの他のメッセージと、を含む。装置は、１つまたは複数の局にアグリゲートされたメッセージを送信するように構成された送信機をさらに含む。
【００１５】
[0015]様々な実施形態において、アグリゲートされたメッセージの各サブメッセージは、物理層（ＰＨＹ）制御フィールドとメディアアクセス制御（ＭＡＣ）ペイロードとを備える少なくとも物理層データユニット（ＰＰＤＵ）を含むことができる。様々な実施形態において、少なくとも１つの他のメッセージは、少なくとも１つの多ユーザ物理層データユニット（ＰＰＤＵ）を含むことができる。様々な実施形態において、少なくとも１つの他のメッセージは、制御またはスケジューリング情報を除く少なくとも１つの単一ユーザ物理層データユニット（ＰＰＤＵ）を含むことができる。
【００１６】
[0016]様々な実施形態において、アグリゲートされたメッセージは、単一ユーザブロードキャストメッセージと、１つまたは複数の多ユーザメッセージと、を含むことができる。様々な実施形態において、アグリゲートされたメッセージは、少なくとも１つの他のメッセージが、１つまたは複数の局のすべてが復号するように指示される少なくともメッセージを含むかどうかを示す共通物理層ヘッダを含むことができる。様々な実施形態において、各メッセージは、少なくとも１つの他のメッセージが、１つまたは複数の局のすべてが復号するように指示される少なくともメッセージを含むかどうかを示す物理層ヘッダを含むことができる。
【００１７】
[0017]様々な実施形態において、単一ユーザブロードキャストメッセージは、
指定された時間に複数のアップリンクデータを送信するように１つまたは複数の局に命令する制御情報を含む。様々な実施形態において、装置は、指定された時間に複数のアップリンクデータの送信を受信するように構成された受信機をさらに含むことができ、複数のアップリンクデータの各送信は、同じ継続時間を有する。様々な実施形態において、送信機は、１つまたは複数の局に肯定応答メッセージを送信するようにさらに構成されることができる。
【００１８】
[0018]様々な実施形態において、各メッセージは、アップリンクスケジューリングメッセージを含むことができる。様々な実施形態において、アップリンクスケジューリングメッセージは、アップリンクデータの送信の継続時間を示す物理層データユニット（ＰＰＤＵ）継続時間フィールドを含むことができる。様々な実施形態において、アップリンクスケジューリングメッセージは、許容された送信モードの指示を含む局アクセス情報フィールドを含むことができる。
【００１９】
[0019]様々な実施形態において、局アクセス情報フィールドは、周波数分割多元接続（ＦＤＭＡ）システムを使用するアップリンクデータに関するトーン／周波数を示すトーン割り振りフィールドを含むことができる。様々な実施形態において、アップリンクスケジューリングメッセージは、アップリンク通信に参加することができる局を示したグループ識別子（ＧＩＤ）フィールドを含むことができる。様々な実施形態において、アップリンクスケジューリングメッセージは、アップリンク通信に参加することができる１つまたは複数の局を識別するマルチキャストアドレスを示す受信機アドレス（ＲＡ）フィールドを含むことができる。様々な実施形態において、アップリンクスケジューリングメッセージは、１つまたは複数の局に関するレート情報を示すフィールドを含むことができる。
【００２０】
[0020]様々な実施形態において、装置は、１つまたは複数の局にアップリンクスケジューリングメッセージを送信するように構成された送信機をさらに含むことができる。アップリンクスケジューリングメッセージは、アップリンクスケジューリングメッセージに応答して局アクセス情報メッセージを送信するように１つまたは複数の局に命令することができる。受信機は、複数の局アクセス情報メッセージを受信するようにさらに構成されることができ、局アクセス情報メッセージは、局アクセス情報を示す。様々な実施形態において、単一ユーザブロードキャストメッセージは、１つまたは複数の局に関するデータ、制御、または管理情報を含むことができる。
【００２１】
[0021]別の態様は、無線通信のための装置を提供する。装置は、アグリゲートされたメッセージを送信するための手段を含む。アグリゲートされたメッセージは、単一ユーザブロードキャストメッセージと、少なくとも１つの他のメッセージと、を含む。装置は、１つまたは複数の局にアグリゲートされたメッセージを送信するための手段をさらに含む。
【００２２】
[0022]様々な実施形態において、アグリゲートされたメッセージの各サブメッセージは、物理層（ＰＨＹ）制御フィールドとメディアアクセス制御（ＭＡＣ）ペイロードとを備える少なくとも物理層データユニット（ＰＰＤＵ）を含むことができる。様々な実施形態において、少なくとも１つの他のメッセージは、少なくとも１つの多ユーザ物理層データユニット（ＰＰＤＵ）を含むことができる。様々な実施形態において、少なくとも１つの他のメッセージは、制御またはスケジューリング情報を除く少なくとも１つの単一ユーザ物理層データユニット（ＰＰＤＵ）を含むことができる。
【００２３】
[0023]様々な実施形態において、アグリゲートされたメッセージは、単一ユーザブロードキャストメッセージと、１つまたは複数の多ユーザメッセージと、を含むことができる。様々な実施形態において、アグリゲートされたメッセージは、少なくとも１つの他のメッセージが、１つまたは複数の局のすべてが復号するように指示される少なくともメッセージを含むかどうかを示す共通物理層ヘッダを含むことができる。様々な実施形態において、各メッセージは、少なくとも１つの他のメッセージが、１つまたは複数の局のすべてが復号するように指示される少なくともメッセージを含むかどうかを示す物理層ヘッダを含むことができる。
【００２４】
[0024]様々な実施形態において、単一ユーザブロードキャストメッセージは、
指定された時間に複数のアップリンクデータを送信するように１つまたは複数の局に命令する制御情報を含む。様々な実施形態において、装置は、指定された時間に複数のアップリンクデータの送信を受信するための手段をさらに含むことができ、複数のアップリンクデータの各送信は、同じ継続時間を有する。様々な実施形態において、装置は、１つまたは複数の局に肯定応答メッセージを送信するための手段をさらに含むことができる。
【００２５】
[0025]様々な実施形態において、各メッセージは、アップリンクスケジューリングメッセージを含むことができる。様々な実施形態において、アップリンクスケジューリングメッセージは、アップリンクデータの送信の継続時間を示す物理層データユニット（ＰＰＤＵ）継続時間フィールドを含むことができる。様々な実施形態において、アップリンクスケジューリングメッセージは、許容された送信モードの指示を含む局アクセス情報フィールドを含むことができる。
【００２６】
[0026]様々な実施形態において、局アクセス情報フィールドは、周波数分割多元接続（ＦＤＭＡ）システムを使用するアップリンクデータに関するトーン／周波数を示すトーン割り振りフィールドを含むことができる。様々な実施形態において、アップリンクスケジューリングメッセージは、アップリンク通信に参加することができる局を示したグループ識別子（ＧＩＤ）フィールドを含むことができる。様々な実施形態において、アップリンクスケジューリングメッセージは、アップリンク通信に参加することができる１つまたは複数の局を識別するマルチキャストアドレスを示す受信機アドレス（ＲＡ）フィールドを含むことができる。様々な実施形態において、アップリンクスケジューリングメッセージは、１つまたは複数の局に関するレート情報を示すフィールドを含むことができる。
【００２７】
[0027]様々な実施形態において、装置は、１つまたは複数の局にアップリンクスケジューリングメッセージを送信するための手段をさらに含むことができる。アップリンクスケジューリングメッセージは、アップリンクスケジューリングメッセージに応答して局アクセス情報メッセージを送信するように１つまたは複数の局に命令することができる。装置は、複数の局アクセス情報メッセージを受信するための手段をさらに含むことができ、局アクセス情報メッセージは、局アクセス情報を示す。様々な実施形態において、単一ユーザブロードキャストメッセージは、１つまたは複数の局に関するデータ、制御、または管理情報を含むことができる。
【００２８】
[0028]別の態様は、非一時的なコンピュータ可読媒体を提供する。媒体は、実行されると、アグリゲートされたメッセージを送信することを装置に行わせるコードを含む。アグリゲートされたメッセージは、単一ユーザブロードキャストメッセージと、少なくとも１つの他のメッセージと、を含む。媒体は、実行されると、１つまたは複数の局にアグリゲートされたメッセージを送信することを装置に行わせるコードをさらに含む。
【００２９】
[0029]様々な実施形態において、アグリゲートされたメッセージの各サブメッセージは、物理層（ＰＨＹ）制御フィールドとメディアアクセス制御（ＭＡＣ）ペイロードとを備える少なくとも物理層データユニット（ＰＰＤＵ）を含むことができる。様々な実施形態において、少なくとも１つの他のメッセージは、少なくとも１つの多ユーザ物理層データユニット（ＰＰＤＵ）を含むことができる。様々な実施形態において、少なくとも１つの他のメッセージは、制御またはスケジューリング情報を除く少なくとも１つの単一ユーザ物理層データユニット（ＰＰＤＵ）を含むことができる。
【００３０】
[0030]様々な実施形態において、アグリゲートされたメッセージは、単一ユーザブロードキャストメッセージと、１つまたは複数の多ユーザメッセージと、を含むことができる。様々な実施形態において、アグリゲートされたメッセージは、少なくとも１つの他のメッセージが、１つまたは複数の局のすべてが復号するように指示される少なくともメッセージを含むかどうかを示す共通物理層ヘッダを含むことができる。様々な実施形態において、各メッセージは、少なくとも１つの他のメッセージが、１つまたは複数の局のすべてが復号するように指示される少なくともメッセージを含むかどうかを示す物理層ヘッダを含むことができる。
【００３１】
[0031]様々な実施形態において、単一ユーザブロードキャストメッセージは、
指定された時間に複数のアップリンクデータを送信するように１つまたは複数の局に命令する制御情報を含む。様々な実施形態において、媒体は、実行されると、指定された時間に複数のアップリンクデータの送信を受信することを装置に行わせるコードをさらに含むことができ、複数のアップリンクデータの各送信は、同じ継続時間を有する。様々な実施形態において、媒体は、実行されると、１つまたは複数の局に肯定応答メッセージを送信することを装置に行わせるコードをさらに含むことができる。
【００３２】
[0032]様々な実施形態において、各メッセージは、アップリンクスケジューリングメッセージを含むことができる。様々な実施形態において、アップリンクスケジューリングメッセージは、アップリンクデータの送信の継続時間を示す物理層データユニット（ＰＰＤＵ）継続時間フィールドを含むことができる。様々な実施形態において、アップリンクスケジューリングメッセージは、許容された送信モードの指示を含む局アクセス情報フィールドを含むことができる。様々な実施形態において、局アクセス情報フィールドは、周波数分割多元接続（ＦＤＭＡ）システムを使用するアップリンクデータに関するトーン／周波数を示すトーン割り振りフィールドを含むことができる。
【００３３】
[0033]様々な実施形態において、アップリンクスケジューリングメッセージは、アップリンク通信に参加することができる局を示したグループ識別子（ＧＩＤ）フィールドを含むことができる。様々な実施形態において、アップリンクスケジューリングメッセージは、アップリンク通信に参加することができる１つまたは複数の局を識別するマルチキャストアドレスを示す受信機アドレス（ＲＡ）フィールドを含むことができる。様々な実施形態において、アップリンクスケジューリングメッセージは、１つまたは複数の局に関するレート情報を示すフィールドを含むことができる。
【００３４】
[0034]様々な実施形態において、媒体は、実行されると、１つまたは複数の局にアップリンクスケジューリングメッセージを送信することを装置に行わせるコードをさらに含むことができる。アップリンクスケジューリングメッセージは、アップリンクスケジューリングメッセージに応答して局アクセス情報メッセージを送信するように１つまたは複数の局に命令することができる。媒体は、実行されると、複数の局アクセス情報メッセージを受信することを装置に行わせるコードをさらに含むことができ、局アクセス情報メッセージは、局アクセス情報を示す。様々な実施形態において、単一ユーザブロードキャストメッセージは、１つまたは複数の局に関するデータ、制御、または管理情報を含むことができる。
【図面の簡単な説明】
【００３５】
【図１】[0035]  図１は、アクセスポイントおよびＳＴＡを有する多元接続多入力多出力（ＭＩＭＯ）システムを示す。
【図２】[0036]  図２は、ＭＩＭＯシステムにおけるＡＰ１１０および２つのＳＴＡ１２０ｍおよび１２０ｘのブロック図を示す。
【図３】[0037]  図３は、図１の無線通信システム内で使用されることができる（アクセスポイントまたは局のような）無線デバイス内で利用されることができる様々なコンポーネントを示す。
【図４】[0038]  図４は、アップリンク（ＵＬ）ＭＵ−ＭＩＭＯ通信を含むフレームやり取りの例の送信および受信時間概略図を示す。
【図５】[0039]  図５は、ＵＬ−ＭＵ−ＭＩＭＯ通信のフレームやり取りの別の例の送信および受信時間概略図を示す。
【図６】[0040]  図６は、ＵＬ−ＭＵ−ＭＩＭＯ通信のフレームやり取りの別の例の送信および受信時間概略図を示す。
【図７】[0041]  図７は、ＵＬ−ＭＵ−ＭＩＭＯ通信のフレームやり取りの別の例の送信および受信時間概略図を示す。
【図８】[0042]  図８は、送信要求（ＲＸＴ）フレームの一実施形態の概略図を示す。
【図９】[0043]  図９は、ＲＴＸフレームの別の実施形態の概略図を示す。
【図１０】[0044]  図１０は、局スケジューリングフレーム（ＳＳＦ）と局アクセス情報フレーム（ＳＩＦ）とを含むフレームやり取りの例の送信および受信時間概略図を示す。
【図１１】[0045]  図１１は、局スケジューリングフレーム（ＳＳＦ）と局アクセス情報フレーム（ＳＩＦ）とを含むフレームやり取りの別の例の送信および受信時間概略図を示す。
【図１２】[0046]  図１２は、送信クリア（ＣＴＸ）フレームの一実施形態の概略図を示す。
【図１３】[0047]  図１３は、ＣＴＸフレームの別の実施形態の概略図を示す。
【図１４】[0048]  図１４は、ＣＴＸフレームの別の実施形態の概略図を示す。
【図１５】[0049]  図１５は、ＣＴＸフレームの別の実施形態の概略図を示す。
【図１６】[0050]  図１６は、ＵＬ−ＭＵ−ＭＩＭＯ通信のフレームやり取りの別の例の送信および受信時間概略図を示す。
【図１７】[0051]  図１７は、ＵＬ−ＭＵ−ＭＩＭＯ通信のフレームやり取りの別の例を示す。
【図１８】[0052]  図１８は、トリガフレームを含むフレームやり取りの例を示す。
【図１９】[0053]  図１９は、トリガフレームを含むフレームやり取りの別の例を示す。
【図２０】[0054]  図２０は、トリガフレームを含むフレームやり取りの別の例を示す。
【図２１】[0055]  図２１は、アグリゲートされたＰＰＤＵ（Ａ−ＰＰＤＵ）の一実施形態を示す概略図である。
【図２２】[0056]  図２２は、Ａ−ＰＰＤＵトリガやり取りの一実施形態を示す送信および受信時間概略図である。
【図２３Ａ】[0057]  図２３Ａは、Ａ−ＰＰＤＵトリガやり取りの様々な実施形態を示す時系列図を示す。
【図２３Ｂ】[0057]  図２３Ｂは、Ａ−ＰＰＤＵトリガやり取りの様々な実施形態を示す時系列図を示す。
【図２３Ｃ】[0057]  図２３Ｃは、Ａ−ＰＰＤＵトリガやり取りの様々な実施形態を示す時系列図を示す。
【図２３Ｄ】[0057]  図２３Ｄは、Ａ−ＰＰＤＵトリガやり取りの様々な実施形態を示す時系列図を示す。
【図２４】[0058]  図２４は、図１の無線通信システム内で使用されることができる無線通信の例示的な方法に関するフローチャートを示す。
【発明を実施するための形態】
【００３６】
[0059]新規のシステム、装置、および方法の様々な態様が、以下において添付される図面に関連してより十分に説明される。しかしながら、教示の開示は、数多くの異なる形で具現化されることができ、この開示全体を通じて提示される任意の特定の構造および機能に限定されるとは解釈されるべきではない。むしろ、これらの態様は、この開示が徹底的かつ完全であり、さらに、本開示の適用範囲を当業者に十分に伝達するようにするために提供される。本明細書における教示に基づき、本開示の適用範囲は、本発明の他の態様から独立して実装されるかまたは本発明の他の態様と組み合わされて実装されるかにかかわらず、本明細書において開示される新規のシステム、装置、および方法の任意の態様を網羅することが意図されることを当業者は認識するであろう。例えば、本明細書において示される任意の数の態様を使用して、装置は実装されることができ、方法は実行されることができる。さらに、本発明の適用範囲は、本明細書において説明される本発明の様々な態様に加えてまたは様々な態様以外に他の構造、機能、又は構造と機能を使用して実行される装置又は方法を網羅することが意図される。本明細書において開示されるいずれの態様も、請求項の１つまたは複数の要素によって具現化されることができることが理解されるべきである。
【００３７】
[0060]本明細書では特定の態様が説明されるが、これらの態様の数多くの変形及び置換が本開示の適用範囲内に入る。好ましい態様の幾つかの利益及び利点が述べられているが、本開示の適用範囲は、特定の利益、用途、または目標に限定されることは意図されない。むしろ、本開示の態様は、異なる無線技術、システム構成、ネットワーク、および送信プロトコルに広範囲にわたって適用可能であることが意図され、そのうちの一部は、図においておよび好ましい態様の以下の説明において例として示される。詳細な説明および図面は、制限するのではなく、単に本開示を例示するものであるにすぎず、本開示の適用範囲は、添付された請求項およびそれらの同等物によって定義される。
【００３８】
[0061]無線ネットワーク技術は、様々なタイプの無線ローカルエリアネットワーク（ＷＬＡＮ）を含むことができる。ＷＬＡＮは、幅広く使用されるネットワーク化プロトコルを使用する近傍のデバイスを相互接続するために使用されることができる。本明細書において説明される様々な態様は、ＷｉＦｉのような任意の通信規格、より一般的には無線プロトコルのＩＥＥＥ８０２．１１系統のあらゆるメンバーに適用することができる。
【００３９】
[0062]幾つかの態様において、無線信号は、直交周波数分割多重（ＯＦＤＭ）、直接シーケンス拡散スペクトル（ＤＳＳＳ）通信、ＯＦＤＭとＤＳＳＳ通信の組み合わせ、またはその他の方式を使用して高効率８０２．１１プロトコルにより送信されることができる。高効率８０２．１１プロトコルの実装は、インターネットアクセス、センサ、計量、スマートグリッドネットワーク、または他の無線適用例のために使用されることができる。有利なことに、この特定の無線プロトコルを実装する幾つかのデバイスの態様は、他の無線プロトコルを実装するデバイスよりも少ない電力を消費することができ、短い距離にわたって無線信号を送信するために使用されることができ、および／または、人間のような物体によって遮断される可能性がより低い信号を送信することができる。
【００４０】
[0063]幾つかの実装において、ＷＬＡＮは、無線ネットワークにアクセスするコンポーネントである様々なデバイスを含む。例えば、２つのタイプのデバイス、すなわち、アクセスポイント（「ＡＰ」）およびクライアント（局、または「ＳＴＡ」とも呼ばれる）が存在することができる。概して、ＡＰは、ＷＬＡＮに関するハブ又は基地局として働き、ＳＴＡは、ＷＬＡＮのユーザとして働く。例えば、ＳＴＡは、ラップトップコンピュータ、パーソナルデジタルアシスタント（ＰＤＡ）、携帯電話、等であることができる。一例では、ＳＴＡは、インターネットへのまたは他のワイドエリアネットワークへの一般的接続性を得るためにＷｉＦｉ（例えば、８０２．１１ａｈのようなＩＥＥＥ８０２．１１プロトコル）に準拠した無線リンクを介してＡＰに接続する。幾つかの実装において、ＳＴＡはまた、ＡＰとして使用されることができる。
【００４１】
[0064]本明細書において説明される技法は、直交多重方式に基づく通信システムを含む様々なブロードバンド無線通信システムのために使用されることができる。そのような通信システムの例は、空間分割多元接続（ＳＤＭＡ）システム、時分割多元接続（ＴＤＭＡ）システム、直交周波数分割多元接続（ＯＦＤＭＡ）システム、単一キャリア周波数分割多元接続（ＳＣ−ＦＤＭＡ）システム、などを含む。ＳＤＭＡシステムは、複数のＳＴＡに属するデータを同時に送信するために十分に異なる方向を利用することができる。ＴＤＭＡシステムは、複数のＳＴＡが送信信号を異なるタイムスロットに分割することによって同じ周波数チャネルを共有するのを可能にすることができ、各タイムスロットは、異なるＳＴＡに割り当てられる。ＴＤＭＡシステムは、ＧＳＭ（登録商標）または当業において知られる幾つかの他の規格を実装することができる。ＯＦＤＭＡシステムは、全体的なシステム帯域幅を複数の直交サブキャリアに分割する変調技法である直交周波数分割多重（ＯＦＤＭ）を利用する。これらのサブキャリアはまた、トーン、ビン、等と呼ばれることができる。ＯＦＤＭの場合は、各サブキャリアは、データとともに独立して変調されることができる。ＯＦＤＭシステムは、ＩＥＥＥ８０２．１１または当業において知られる幾つかの他の規格を実装することができる。ＳＣ−ＦＤＭＡシステムは、システム帯域幅全体にわたって分散されるサブキャリアで送信するためにインターリーブされたＦＤＭＡ（ＩＦＤＭＡ）を、隣接するサブキャリアの１つのブロックで送信するためにローカライズされたＦＤＭＡ（ＬＦＤＭＡ）を、または、隣接するサブキャリアの複数のブロックで送信するために拡張されたＦＤＭＡ（ＥＦＤＭＡ）を、利用することができる。概して、変調シンボルは、ＯＦＤＭの場合は周波数領域で、ＳＣ−ＦＤＭＡの場合は時間領域で、送信される。ＳＣ−ＦＤＭＡシステムは、３ＧＰＰ（登録商標）−ＬＴＥ（登録商標）（第３世代パートナーシッププロジェクトロングタームエボリューション）または他の規格を実装することができる。
【００４２】
[0065]本明細書における教示は、様々な有線または無線装置（例えば、ノード）内に組み込まれること（例えば、様々な有線または無線装置内に実装されることまたは様々な有線または無線装置によって実行されること）ができる。幾つかの態様において、本明細書における教示により実装された無線ノードは、アクセスポイントまたはアクセス端末を備えることができる。
【００４３】
[0066]アクセスポイント（「ＡＰ」）は、ノードＢ、無線ネットワークコントローラ（「ＲＮＣ」）、ｅＮｏｄｅＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の用語を備えること、それらの用語として実装されること、またはそれらの用語として知られることができる。
【００４４】
局（「ＳＴＡ」）はまた、ＳＴＡ、アクセス端末（「ＡＴ」）、加入者局、加入者ユニット、移動局、遠隔局、遠隔端末、ユーザエージェント、ユーザデバイス、ユーザ機器、ユーザ端末、または何らかの他の用語を備えること、それらの用語として実装されること、またはそれらの用語として知られることができる。幾つかの実装において、アクセス端末は、携帯電話、コードレスフォン、セッション開始プロトコル（「ＳＩＰ」）フォン、ワイヤレスローカルループ（「ＷＬＬ」）局、携帯情報端末（「ＰＤＡ」）、無線接続能力を有するハンドヘルドデバイス、または無線モデムに接続された何らかの他の適切な処理デバイスを備えることができる。従って、本明細書において教示される１つまたは複数の態様は、電話（例えば、携帯電話またはスマートフォン）、コンピュータ（例えば、ラップトップ）、ポータブル通信デバイス、ヘッドセット、ポータブルコンピューティングデバイス（例えば、携帯情報端末）、娯楽機器（例えば、音楽又はビデオ機器、又は衛星無線）、ゲームプレイ機器またはシステム、全地球測位システムデバイス、または無線媒体を介して通信するように構成される他の適切なデバイス内に組み入れられることができる。
【００４５】
[0068]図１は、多元接続多入力多出力（ＭＩＭＯ）のために構成された無線通信システム１００を示した概略図であり、アクセスポイントとＳＴＡとを有する。単純化のため、図１には１つのＡＰ１１０のみが示される。アクセスポイントは、概してＳＴＡと通信し、基地局または他の用語で呼ばれることもできる。ＳＴＡは、固定型または移動型であることができ、および、移動局または無線デバイスと呼ばれること、または何らかの他の用語を使用して呼ばれることもできる。ＡＰ１１０は、ダウンリンクおよび／またはアップリンク上で任意の所定の時点で１つまたは複数のＳＴＡ１２０と通信することができる。ダウンリンク（すなわち、順方向リンク）は、アクセスポイントからＳＴＡへの通信リンクであり、アップリンク（すなわち、逆方向リンク）は、ＳＴＡからアクセスポイントへの通信リンクである。ＳＴＡはまた、別のＳＴＡとピア・ツー・ピアで通信することができる。システムコントローラ１３０は、アクセスポイントに結合し、アクセスポイントに関する調整および制御を提供する。
【００４６】
[0069]以下の開示の諸部分は、空間分割多元接続（ＳＤＭＡ）を介して通信することが可能なＳＴＡ１２０について説明する一方で、幾つかの態様に関しては、ＳＴＡはまた、ＳＤＭＡをサポートしない幾つかのＳＴＡを含むことができる。従って、そのような態様に関して、ＡＰ１１０は、ＳＤＭＡおよび非ＳＤＭＡ  ＳＴＡの両方と通信するように構成されることができる。この手法は、より新しいＳＤＭＡ  ＳＴＡが適宜導入されるのを可能にする一方で、ＳＤＭＡをサポートしないＳＴＡ（「レガシー」局）の旧バージョンが企業（ｅｎｔｅｒｐｒｉｓｅ）内に配備された状態を維持するのを好都合に可能にすることができる。
【００４７】
[0070]無線通信システム１００は、ダウンリンクおよびアップリンク上でのデータ送信のために複数本の送信アンテナおよび複数本の受信アンテナを使用する。ＡＰ１１０は、Ｎａｐ本のアンテナが装備され、ダウンリンク送信に関しては多入力（ＭＩ）およびアップリンク送信に関しては多出力（ＭＯ）を表す。Ｋの数の選択されたＳＴＡ１２０の組は、総合して、ダウンリンク送信に関しては多出力およびアップリンク送信に関しては多入力を表す。純粋なＳＤＭＡの場合、Ｋの数のＳＴＡに関するデータシンボルストリームがコード、周波数または時間の点で多重化されない場合はＮａｐ≦Ｋ≦１を有することが望まれる。Ｋの値は、データシンボルストリームが、ＴＤＭＡ技法、ＣＤＭＡに関しては異なるコードチャネル、ＯＦＤＭに関してはサブバンドの互いに分離した組、等を使用して多重化されることができる場合にＮａｐの値よりも大きいことができる。各々の選択されたＳＴＡは、アクセスポイントにユーザ固有データを送信することまたはアクセスポイントからユーザ固有データを受信することができる。概して、各々の選択されたＳＴＡは、１本または複数本のアンテナが装備されることができる。Ｋの数の選択されたＳＴＡは、同じ本数のアンテナを有することができ、または、１つまたは複数のＳＴＡは、異なる本数のアンテナを有することができる。
【００４８】
[0071]無線通信システム１００は、ＳＤＭＡのために構成されたときには、時分割複信（ＴＤＤ）システムまたは周波数分割複信（ＦＤＤ）システムであることができる。ＴＤＤシステムに関しては、ダウンリンクおよびアップリンクは、同じ周波数帯域を共有する。ＦＤＤシステムに関しては、ダウンリンクおよびアップリンクは、異なる周波数帯域を使用する。無線通信システム１００はまた、送信のために単一のキャリアまたは複数のキャリアを利用することができる。各ＳＴＡは、単一のアンテナまたは複数本のアンテナが装備されることができる。無線通信システム１００はまた、ＳＴＡ１２０が送信／受信を異なるタイムスロットに分割することによって同じ周波数チャネルを共有する場合はＴＤＭＡシステムであることができ、ここで、各タイムスロットは、異なるＳＴＡ１２０に割り当てられることができる。
【００４９】
[0072]図２は、無線通信システム１００におけるＡＰ１１０および２つのＳＴＡ１２０ｍおよび１２０ｘのブロック図を示す。ＡＰ１１０は、Ｎｔ本のアンテナ２２４ａ乃至２２４ａｐが装備される。ＳＴＡ１２０ｍは、Ｎｕｔ，ｍ本のアンテナ２５２ｍａ乃至２５２ｍｕが装備され、ＳＴＡ１２０ｘは、Ｎｕｔ，ｘ本のアンテナ２５２ｘａ乃至２５２ｘｕが装備される。ＡＰ１１０は、ダウンリンクに関しては送信エンティティであり、アップリンクに関しては受信エンティティである。ＳＴＡ１２０は、アップリンクに関しては送信エンティティであり、ダウンリンクに関しては受信エンティティである。本明細書において使用される場合、「送信エンティティ」は、無線チャネルを介してデータを送信することが可能な、独立して動作される装置またはデバイスであり、「受信エンティティ」は、無線チャネルを介してデータを受信することが可能な、独立して動作される装置またはデバイスである。以下の説明において、添え字「ｄｎ」は、ダウンリンクを表し、添え字「ｕｐ」は、アップリンクを表す。アップリンク上での同時送信のためにＮｕｐの数のＳＴＡが選択され、ダウンリンク上での同時送信のためにＮｄｎの数のＳＴＡが選択される。Ｎｕｐの値は、Ｎｄｎの値と等しいことまたは等しくないことができ、および、Ｎｕｐの値およびＮｄｎの値は、静的値であることができ、または、各々のスケジューリングされた通信間隔に関して変化することができる。ＡＰ１１０および／またはＳＴＡ１２０では、ビームステアリングまたは何らかの他の空間処理技法が使用されることができる。
【００５０】
[0073]アップリンク上で、アップリンク送信のために選択された各ＳＴＡ１２０において、ＴＸデータプロセッサ２８８は、データソース２８６からトラフィックデータをおよびコントローラ２８０から制御データを受信する。ＴＸデータプロセッサ２８８は、ＳＴＡに関して選択されたレートに関連するコーディングおよび変調方式に基づいてＳＴＡに関するトラフィックデータを処理（例えば、符号化、インターリーブ、および変調）し、データシンボルストリームを提供する。ＴＸ空間プロセッサ２９０は、データシンボルストリームに関して空間処理を実行し、Ｎｕｔ，ｍ本のアンテナに関するＮｕｔ，ｍの数の送信シンボルストリームを提供する。各送信機ユニット（ＴＭＴＲ）２５４は、アップリンク信号を生成するために各々の送信シンボルストリームを受信および処理する（例えば、アナログに変換する、増幅する、フィルタリングする、および周波数アップコンバートする）。Ｎｕｔ，ｍの数の送信機ユニット２５４は、例えば、ＡＰ１１０に送信するために、Ｎｕｔ，ｍ本のアンテナ２５２からの送信のためにＮｕｔ，ｍ個のアップリンク信号を提供する。
【００５１】
[0074]アップリンク上での同時送信のためにＮｕｐの数のＳＴＡがスケジューリングされることができる。これらのＳＴＡの各々は、その各々のデータシンボルストリームに関して空間処理を実行し、送信シンボルストリームの各々の組をアップリンク上でＡＰ１１０に送信することができる。
【００５２】
[0075]ＡＰ１１０において、Ｎｕｐ本のアンテナ２２４ａ乃至２２４ａｐは、アップリンク上で送信するすべてのＮｕｐの数のＳＴＡからアップリンク信号を受信する。各アンテナ２２４は、各々の受信機ユニット（ＲＣＶＲ）２２２に受信された信号を提供する。各受信機ユニット２２２は、送信機ユニット２５４によって実行される処理を補完するそれを実行し、受信されたシンボルストリームを提供する。ＲＸ空間プロセッサ２４０は、Ｎｕｐの数の受信機ユニット２２２からのＮｕｐの数の受信されたシンボルストリームに関して受信機空間処理を実行し、Ｎｕｐの数の復元されたアップリンクデータシンボルストリームを提供する。受信機空間処理は、チャネル相関行列反転（ＣＣＭＩ）、最小平均二乗誤差（ＭＭＳＥ）、ソフト干渉キャンセレーション（ＳＩＣ）、または何らかの他の技法により実行されることができる。各々の復元されたアップリンクデータシンボルストリームは、各々のＳＴＡによって送信されたデータシンボルストリームの推定値である。ＲＸデータプロセッサ２４２は、復号されたデータを得るために各々の復元されたアップリンクデータシンボルストリームのために使用されたレートによりそのストリームを処理する（例えば、復調する、デインターリーブする、および復号する）。各ＳＴＡに関する復号されたデータは、格納のためにデータシンク２４４におよび／またはさらなる処理のためにコントローラ２３０に提供されることができる。
【００５３】
[0076]ダウンリンク上で、ＡＰ１１０において、ＴＸデータプロセッサ２１０は、ダウンリンク送信のためにスケジューリングされたＮｄｎの数のＳＴＡに関してデータソース２０８からトラフィックデータを受信し、コントローラ２３０から制御データを受信し、および、おそらくスケジューラ２３４から他のデータを受信する。様々なタイプのデータが異なるトランスポートチャネル上で送信されることができる。ＴＸデータプロセッサ２１０は、各ＳＴＡのために選択されたレートでそのＳＴＡに関するトラフィックデータを処理する（例えば、符号化する、インターリーブする、および変調する）。ＴＸデータプロセッサ２１０は、Ｎｄｎの数のＳＴＡに関してＮｄｎの数のダウンリンクデータシンボルストリームを提供する。ＴＸ空間プロセッサ２２０は、Ｎｄｎの数のダウンリンクデータシンボルストリームに関して（プリコーディングまたはビームフォーミングのような）空間処理を実行し、Ｎｕｐ本のアンテナに関するＮｕｐの数の送信シンボルストリームを提供する。各送信機ユニット２２２は、ダウンリンク信号を生成するために各々の送信シンボルストリームを受信しおよび処理する。Ｎｕｐの数の送信機ユニット２２２は、例えばＳＴＡ１２０に送信するために、Ｎｕｐ本のアンテナ２２４からの送信のためにＮｕｐの数のダウンリンク信号を提供することができる。
【００５４】
[0077]各ＳＴＡ１２０において、Ｎｕｔ，ｍ本のアンテナ２５２は、ＡＰ１１０からＮｕｐ個のダウンリンク信号を受信する。各受信機ユニット２５４は、関連するアンテナ２５２からの受信された信号を処理し、受信されたシンボルストリームを提供する。ＲＸ空間プロセッサ２６０は、Ｎｕｔ，ｍの数の受信機ユニット２５４からのＮｕｔ，ｍの数の受信されたシンボルストリームに関して受信機空間処理を実行し、ＳＴＡ１２０に関する復元されたダウンリンクデータシンボルストリームを提供する。受信機空間処理は、ＣＣＭＩ、ＭＭＳＥ、または何らかの他の技法により実行されることができる。ＲＸデータプロセッサ２７０は、ＳＴＡに関する復号されたデータを得るために復元されたダウンリンクデータシンボルストリームを処理する（例えば、復調する、デインターリーブするおよび復号する）。
【００５５】
[0078]各ＳＴＡ１２０において、チャネル推定器２７８は、ダウンリンクチャネル応答を推定し、ダウンリンクチャネル推定値を提供し、それらは、チャネル利得推定値、ＳＮＲ推定値、雑音分散、などを含むことができる。同様に、チャネル推定器２２８は、アップリンクチャネル応答を推定し、アップリンクチャネル推定値を提供する。各ＳＴＡに関するコントローラ２８０は、典型的には、ＳＴＡに関するダウンリンクチャネル応答行列Ｈｄｎ，ｍに基づいてそのＳＴＡに関する空間フィルタ行列を導き出す。コントローラ２３０は、有効アップリンクチャネル応答行列Ｈｕｐ，ｅｆｆに基づいてアクセスポイントに関する空間フィルタ行列を導き出す。各ＳＴＡに関するコントローラ２８０は、ＡＰ１１０にフィードバック情報（例えば、ダウンリンクおよび／またはアップリンク固有ベクトル、固有値、ＳＮＲ推定値、など）を送信することができる。コントローラ２３０および２８０はまた、ＡＰ１１０およびＳＴＡ１２０においてそれぞれ様々な処理ユニットの動作を制御することができる。
【００５６】
[0079]図３は、図１の無線通信システム１００内で使用されることができる（アクセスポイントまたは局のような）無線デバイス３０２において利用されることができる様々なコンポーネントを示す。無線デバイス３０２は、本明細書において説明される様々な方法を実装するように構成されることができるデバイスの例である。無線デバイス３０２は、ＡＰ１１０またはＳＴＡ１２０を実装することができる。
【００５７】
[0080]無線デバイス３０２は、無線デバイス３０２の動作を制御するプロセッサ３０４を含むことができる。プロセッサ３０４はまた、中央処理装置（ＣＰＵ）と呼ばれることができる。読み取り専用メモリ（ＲＯＭ）とランダムアクセスメモリ（ＲＡＭ）とを含むことができるメモリ３０６は、プロセッサ３０４に命令およびデータを提供する。メモリ３０６の一部分はまた、非揮発性ランダムアクセスメモリ（ＮＶＲＡＭ）を含むことができる。プロセッサ３０４は、メモリ３０６内に格納されたプログラム命令に基づいて論理および算術演算を実行することができる。メモリ３０６内の命令は、本明細書において説明される方法を実装するために実行可能であることができる。
【００５８】
[0081]プロセッサ３０４は、１つまたは複数のプロセッサとともに実装された処理システムを備えることまたは処理システムのコンポーネントであることができる。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲーテッド論理（ｇａｔｅｄ  ｌｏｇｉｃ）、ディスクリートハードウェアコンポーネント、専用ハードウェア有限ステートマシン、または、計算または情報の他の処理を実行することができる任意の他の適切なエンティティであることができる。
【００５９】
[0082]処理システムはまた、ソフトウェアを格納するための機械可読媒体を含むことができる。ソフトウェアは、ソフトウェア、ファームウェア、ミドルウェア、マイクロコード、ハードウェア記述言語、またはその他のいずれで呼ばれるかにかかわらず、任意のタイプの命令を意味すると広義で解釈されなければならない。命令は、（例えば、ソースコード形式、バイナリコード形式、実行可能コード形式、または、コードのいずれかの他の適切な形式の）コードを含むことができる。命令は、１つまたは複数のプロセッサによって実行されると、本明細書において説明される様々な機能を実行することを処理システムに行わせる。
【００６０】
[0083]無線デバイス３０２はまた、無線デバイス３０２と遠隔場所との間でのデータの送信および受信を可能にするための送信機３１０と受信機３１２とを含むことができるハウジング３０８を含むことができる。送信機３１０および受信機３１２は、トランシーバ３１４として結合されることができる。１本または複数本のトランシーバアンテナ３１６がハウジング３０８に取り付けられることおよびトランシーバ３１４に電気的に結合されることができる。無線デバイス３０２はまた、複数の送信機と、複数の受信機と、複数のトランシーバと、を含むことができる。
【００６１】
[0084]無線デバイス３０２はまた、トランシーバ３１４によって受信された信号のレベルを検出および定量化するために使用されることができる信号検出器３１８を含むことができる。信号検出器３１８は、総エネルギー、１個のシンボル当たりの１つのサブキャリア当たりのエネルギー、電力スペクトル密度のような信号および他の信号を検出することができる。無線デバイス３０２はまた、信号を処理する際の使用のためのデジタル信号プロセッサ（ＤＳＰ）３２０を含むことができる。
【００６２】
[0085]無線デバイス３０２の様々なコンポーネントが、データバスに加えて電力バスと制御信号バスと状態信号バスとを含むことができるバスシステム３２２によってまとめて結合されることができる。
【００６３】
[0086]本開示の幾つかの態様は、複数のＳＴＡからＡＰにアップリンク（ＵＬ）信号を送信することをサポートする。幾つかの実施形態において、ＵＬ信号は、多ユーザＭＩＭＯ（ＭＵ−ＭＩＭＯ）システムにおいて送信されることができる。代替として、ＵＬ信号は、多ユーザＦＤＭＡ（ＭＵ−ＦＤＭＡ）システムまたは同様のＦＤＭＡシステムにおいて送信されることができる。具体的には、図４乃至図７、図１０および図１１、および図１６乃至図２０は、ＵＬ−ＦＤＭＡ送信に対して同等に適用されるＵＬ−ＭＵ−ＭＩＭＯ送信４１０Ａ、４１０Ｂ、１０５０Ａ、および１０５０Ｂを示す。これらの実施形態において、ＵＬ−ＭＵ−ＭＩＭＯ送信またはＵＬ−ＦＤＭＡ送信は、複数のＳＴＡからＡＰに同時に送られることができ、および、無線通信の効率を生み出すことができる。
【００６４】
[0087]図４は、ＵＬ通信のために使用されることができるＵＬ−ＭＵ−ＭＩＭＯプロトコル４００の例を示した送信および受信時間概略図である。図４において示されるようにおよび図１と連繋して、ＡＰ１１０は、特定のＳＴＡがＵＬ−ＭＵ−ＭＩＭＯを開始させるのを知っているようにするために、いずれのＳＴＡがＵＬ−ＭＵ−ＭＩＭＯ方式に参加することができるかを示す送信クリア（ＣＴＸ）メッセージ４０２をＳＴＡ１２０に送信することができる。ＣＴＸフレーム構造の一例が、以下において図１２乃至図１５に関連してより完全に説明される。
【００６５】
[0088]ＳＴＡ１２０が、ＳＴＡが記載されているＡＰ１１０からＣＴＸメッセージ４０２を一旦受信して時点で、ＳＴＡは、ＵＬ−ＭＵ−ＭＩＭＯ送信４１０を送ることができる。図４において、ＳＴＡ１２０ＡおよびＳＴＡ１２０Ｂは、物理層コンバージェンスプロトコル（ＰＬＣＰ）プロトコルデータユニット（ＰＰＤＵ）を含むＵＬ−ＭＵ−ＭＩＭＯ送信４１０Ａおよび４１０Ｂを送る。ＵＬ−ＭＵ−ＭＩＭＯ送信４１０を受け取った時点で、ＡＰ１１０は、ＳＴＡ１２０にブロック肯定応答（ＢＡ）４７０を送信することができる。
【００６６】
[0089]すべてのＡＰまたはＳＴＡ１２０がＵＬ−ＭＵ−ＭＩＭＯまたはＵＬ−ＦＤＭＡ動作をサポートすることができるわけではない。ＳＴＡ１２０からの能力指示が、関連性要求（ａｓｓｏｃｉａｔｉｏｎ  ｒｅｑｕｅｓｔ）またはプローブ要求内に含められる高効率無線（ＨＥＷ）能力要素において示されることができ、および、能力を示すビットと、ＳＴＡ１２０がＵＬ−ＭＵ−ＭＩＭＯ送信において使用することができる空間ストリームの最大数と、ＳＴＡ１２０がＵＬ−ＦＤＭＡ送信において使用することができる周波数と、電力バックオフにおける最小および最大電力および粒度（ｇｒａｎｕｌａｒｉｔｙ）と、ＳＴＡ１２０が実行することができる最小および最大時間調整と、を含むことができる。
【００６７】
[0090]ＡＰからの能力指示は、関連性応答、ビーコンまたはプローブ応答内に含められるＨＥＷ能力要素において示されることができ、および、能力を示すビットと、単一のＳＴＡ１２０がＵＬ−ＭＵ−ＭＩＭＯ送信において使用することができる空間ストリームの最大数と、単一のＳＴＡ１２０がＵＬ−ＦＤＭＡ送信において使用することができる周波数と、要求される電力制御粒度と、ＳＴＡ１２０が実行することができるべき要求される最小および最大時間調整と、を含むことができる。
【００６８】
[0091]一実施形態において、能力を有するＳＴＡ１２０は、ＵＬ−ＭＵ−ＭＩＭＯ特徴の使用を可能にするための要求を示す管理フレームをＡＰに送信することによってＵＬ−ＭＵ−ＭＩＭＯ（またはＵＬ−ＦＤＭＡ）プロトコルの一部になるように能力を有するＡＰに要求することができる。一態様において、ＡＰ１１０は、ＵＬ−ＭＵ−ＭＩＭＯ特徴の使用を許可するかまたは拒否することによって応答することができる。ＵＬ−ＭＵ−ＭＩＭＯの使用が一旦許可された時点で、ＳＴＡ１２０は、様々な時間にＣＴＸメッセージ４０２を期待することができる。さらに、ＳＴＡ１２０がＵＬ−ＭＵ−ＭＩＭＯ特徴を動作させるのを一旦可能にされた時点で、ＳＴＡ１２０は、ある動作モードに従うことを条件とすることができる。複数の動作モードが可能である場合は、ＡＰは、ＨＥＷ能力要素においてまたは動作要素（ｏｐｅｒａｔｉｏｎ  ｅｌｅｍｅｎｔ）においていずれのモードを使用すべきかをＳＴＡ１２０に示すことができる。一態様において、ＳＴＡ１２０は、ＡＰ１１０に異なる動作要素を送信することによって動作中に動的に動作モードおよびパラメータを変更することができる。別の態様において、ＡＰ１１０は、ＳＴＡ１２０に更新された動作要素を送信することによってまたはビーコンにおいて動作中に動的に動作モードを切り換えることができる。別の態様において、動作モードは、セットアップフェーズにおいて示されることができ、および、１つのＳＴＡ１２０ごとにまたはＳＴＡ１２０のグループに関してセットアップされることができる。別の態様において、動作モードは、１個のトラフィック識別子（ＴＩＤ）ごとに指定されることができる。
【００６９】
[0092]図５は、図１と連繋して、ＵＬ−ＭＵ−ＭＩＭＯ送信の動作モードの例を示す送信および受信時間概略図である。この実施形態において、ＳＴＡ１２０は、ＡＰ１１０からＣＴＸメッセージ４０２を受信し、ＡＰ１１０に即時応答を送信する。応答は、送信クリア（ＣＴＳ）４０８または別の同様の信号の形態であることができる。一態様において、ＣＴＳを送信するようにとの要求は、ＣＴＸメッセージ４０２において示されることができ、または、通信のセットアップフェーズにおいて示されることができる。図５において示されるように、ＳＴＡ１２０ＡおよびＳＴＡ１２０Ｂは、ＣＴＸメッセージ４０２を受信したことに応答してＣＴＳ１  ４０８ＡおよびＣＴＳ２  ４０８Ｂを送信することができる。ＣＴＳ１  ４０８ＡおよびＣＴＳ２  ４０８Ｂの変調およびコーディング方式（ＭＣＳ）は、ＣＴＸメッセージ４０２のＭＣＳに基づくことができる。この実施形態において、ＣＴＳ１  ４０８ＡおよびＣＴＳ２  ４０８Ｂは、同時にＡＰ１１０に送信されることができるようにするために同じビットと同じスクランブリングシーケンスとを含む。ＣＴＳ４０８信号の継続時間フィールドは、ＣＴＸ  ＰＰＤＵに関する時間を取り除くことによってＣＴＸ内の継続時間フィールドに基づくことができる。次に、ＵＬ−ＭＵ−ＭＩＭＯ送信４１０Ａおよび４１０Ｂは、ＣＴＸ４０２信号において記載されているようにＳＴＡ１２０Ａおよび１２０Ｂによって送られる。次に、ＡＰ１１０は、ＳＴＡ１２０Ａおよび１２０Ｂに肯定応答（ＡＣＫ）信号を送信することができる。幾つかの態様において、ＡＣＫ信号は、各局への一連のＡＣＫ信号またはＢＡであることができる。幾つかの態様において、ＡＣＫ信号は、ポーリングされることができる。この実施形態は、複数のＳＴＡからＡＰ１１０にＣＴＳ４０８信号を順次の代わりに同時に送信することによって効率を生み出し、それは、時間を節約し、干渉の可能性を低減させる。
【００７０】
[0093]図６は、図１と連繋して、ＵＬ−ＭＵ−ＭＩＭＯ送信の動作モードの別の例を示す送信および受信時間概略図である。この実施形態において、ＳＴＡ１２０Ａおよび１２０Ｂは、ＡＰ１１０からＣＴＸメッセージ４０２を受信し、ＣＴＸメッセージ４０２を搬送するＰＰＤＵの最後の後の時間（Ｔ）４０６にＵＬ−ＭＵ−ＭＩＭＯ送信を開始することが許容される。時間Ｔ４０６は、ショートフレーム間スペース（ＳＩＦＳ）、ポイントフレーム間スペース（ＰＩＦＳ）、または、ＣＴＸメッセージ４０２内でＡＰ１１０によって示された追加のオフセットを用いてまたは管理フレームを介して調整可能な別の時間であることができる。ＳＩＦＳまたはＰＩＦＳ時間は、規格において固定されることまたはＣＴＸメッセージ４０２においてまたは管理フレームにおいてＡＰ１１０によって示されることができる。時間Ｔ４０６を指定することの１つの利点は、同期化を向上させることまたは送信前にＣＴＸメッセージ４０２または他のメッセージを処理する時間をＳＴＡ１２０ＡおよびＳＴＡ１２０Ｂに与えることであることができる。
【００７１】
[0094]図４乃至図６を参照し、図１と連繋して、ＵＬ−ＭＵ−ＭＩＭＯ送信４１０は、他のＵＬ−ＭＵ−ＭＩＭＯ送信と同じ継続時間を有することができる。ＵＬ−ＭＵ−ＭＩＭＯ特徴を利用するＳＴＡに関するＵＬ−ＭＵ−ＭＩＭＯ送信４１０の継続時間は、ＣＴＸメッセージ４０２においてまたはセットアップフェーズ中に示されることができる。要求される継続時間のＰＰＤＵを生成するために、ＳＴＡ１２０は、ＰＰＤＵの長さがＣＴＸメッセージ４０２において示される長さと一致するようにＰＬＣＰサービスデータユニット（ＰＳＤＵ）を構築することができる。別の態様において、ＳＴＡ１２０は、ターゲットの長さに近づけるためにメディアアクセス制御（ＭＡＣ）プロトコルデータユニット（Ａ−ＭＰＤＵ）内のデータアグリゲーションのレベルまたはＭＡＣサービスデータユニット（Ａ−ＭＳＤＵ）におけるデータアグリゲーションのレベルを調整することができる。別の態様において、ＳＴＡ１２０は、ターゲットの長さに達するためにファイル終了（ＥＯＦ）パディング区切り文字を加えることができる。別の手法において、パディングまたはＥＯＦパッドフィールドがＡ−ＭＰＤＵの始めに加えられる。すべてのＵＬ−ＭＵ−ＭＩＭＯ送信が同じ長さを有することの利益のうちの１つは、送信の電力レベルが一定になることである。
【００７２】
[0095]幾つかの実施形態において、ＳＴＡ１２０は、ＡＰにアップロードするためのデータを有することができるが、ＳＴＡ１２０は、ＳＴＡ１２０がＵＬ−ＭＵ−ＭＩＭＯ送信を開始することができることを示すＣＴＸメッセージ４０２または他の信号を受信していない。
【００７３】
[0096]一動作モードにおいて、ＳＴＡ１２０は、ＵＬ−ＭＵ−ＭＩＭＯ送信機会（ＴＸＯＰ）の外側で（例えば、ＣＴＸメッセージ４０２の後に）送信することは許容されない。別の動作モードにおいて、ＳＴＡ１２０は、ＵＬ−ＭＵ−ＭＩＭＯ送信を初期化するためのフレームを送信することができ、例えば、ＣＴＸメッセージ４０２においてそうするように命令された場合は、ＵＬ−ＭＵ−ＭＩＭＯ  ＴＸＯＰ中に送信することができる。一実施形態において、ＵＬ−ＭＵ−ＭＩＭＯ送信を初期化するためのフレームは、送信要求（ＲＴＸ）であることができ、この目的のために特別に設計されたフレームである（ＲＴＸフレーム構造の一例が、以下において図８および図９に関連してより完全に説明される）。ＲＴＸフレームは、ＳＴＡ１２０がＵＬ  ＭＵ  ＭＩＭＯ  ＴＸＯＰを開始するために使用するのを許容された唯一のフレームであることができる。一実施形態において、ＳＴＡは、ＲＴＸを送信することによって以外ではＵＬ−ＭＵ−ＭＩＭＯ  ＴＸＯＰの外側で送信し得ない。別の実施形態において、ＵＬ  ＭＵ  ＭＩＭＯ送信を初期化するためのフレームは、ＳＴＡ１２０が送信すべきデータを有することをＡＰ１１０に示す任意のフレームであることができる。これらのフレームは、ＵＬ  ＭＵ  ＭＩＭＯ  ＴＸＯＰ要求を示すように予め交渉されることができる。例えば、以下は、ＳＴＡ１２０が送信すべきデータを有しており、ＵＬ  ＭＵ  ＭＩＭＯ  ＴＸＯＰ、すなわち、ＲＴＳ、データフレーム、または、より多くのデータを示すために設定されたＱｏＳ制御フレームのビット８乃至１５を有するＱｏＳヌルフレーム、またはＰＳポール、を要求していることを示すために使用されることができる。一実施形態において、ＳＴＡは、このＴＸＯＰをトリガするためのフレームを送信することによる以外ではＵＬ  ＭＵ  ＭＩＭＯ  ＴＸＯＰの外側で送信し得ず、ここで、このフレームは、ＲＴＳ、ＰＳポール、またはＱＯＳヌルであることができる。別の実施形態において、ＳＴＡは、単一ユーザアップリンクデータを通常どおり送信することができ、および、そのデータパケットのＱｏＳ制御フレーム内でビットを設定することによってＵＬ  ＭＵ  ＭＩＭＯ  ＴＸＯＰに関する要求を示すことができる。図７は、図１と連繋して、ＵＬ−ＭＵ−ＭＩＭＯを初期化するためのフレームがＲＴＸ７０１である例を示した送信および受信時間概略図である。この実施形態において、ＳＴＡ１２０は、ＵＬ−ＭＵ−ＭＩＭＯ送信に関する情報を含むＲＴＸ７０１をＡＰ１１０に送信する。図７において示されるように、ＡＰ１１０は、ＣＴＸメッセージ４０２の直後にＵＬ−ＭＵ−ＭＩＭＯ送信４１０を送るためのＵＬ−ＭＵ−ＭＩＭＯ  ＴＸＯＰを許可するＣＴＸメッセージ４０２でＲＴＸ７０１に応答することができる。別の態様において、ＡＰ１１０は、単一ユーザ（ＳＵ）ＵＬ  ＴＸＯＰを許可するＣＴＳで応答することができる。別の態様において、ＡＰ１１０は、ＲＸＴ７０１の受信に関して肯定応答するが即時ＵＬ−ＭＵ−ＭＩＭＯ  ＴＸＯＰを許可しないフレーム（例えば、特別の指示を有するＡＣＫまたはＣＴＸ）で応答することができる。別の態様において、ＡＰ１１０は、ＲＸＴ７０１の受信に関し���肯定応答し、即時ＵＬ−ＭＵ−ＭＩＭＯ  ＴＸＯＰを許可しないが、遅延されたＵＬ−ＭＵ−ＭＩＭＯ  ＴＸＯＰを許可するフレームで応答することができ、および、ＴＸＯＰが許可された時間を特定することができる。この実施形態において、ＡＰ１１０は、許可された時間にＵＬ−ＭＵ−ＭＩＭＯを開始するためのＣＴＸメッセージ４０２を送信することができる。
【００７４】
[0097]別の態様において、ＡＰ１１０は、ＡＣＫまたはＵＬ−ＭＵ−ＭＩＭＯ送信をＳＴＡ１２０に許可せず、ＳＴＡ１２０が別の送信（例えば、別のＲＴＸを送信すること）を試行する前にある時間（Ｔ）の間待たなければならないことを示す他の応答信号でＲＴＸ７０１に応答することができる。この態様において、時間（Ｔ）は、セットアップフェーズにおいてまたは応答信号内でＡＰ１１０によって示されることができる。別の態様において、ＡＰ１１０およびＳＴＡ１２０は、ＳＴＡ１２０がＲＴＸ７０１、ＲＴＳ、ＰＳポール、またはＵＬ−ＭＵ−ＭＩＭＯ  ＴＸＯＰに関するいずれかの他の要求を送信することができる時間について取り決めることができる。
【００７５】
[0098]別の動作モードにおいて、ＳＴＡ１２０は、正規のコンテンションプロトコルによりＵＬ−ＭＵ−ＭＩＭＯ送信４１０に関する要求を送信することができる。別の態様において、ＵＬ−ＭＵ−ＭＩＭＯを使用するＳＴＡ１２０に関するコンテンションパラメータは、ＵＬ−ＭＵ−ＭＩＭＯ特徴を使用していない他のＳＴＡに関するのと異なる値に設定される。この実施形態において、ＡＰ１１０は、ビーコンまたは関連性応答においてまたは管理フレームを通じてコンテンションパラメータの値を示すことができる。別の態様において、ＡＰ１１０は、ＳＴＡ１２０が各々の成功裏のＵＬ−ＭＵ−ＭＩＭＯ  ＴＸＯＰの後のまたは各ＲＴＸ、ＲＴＳ、ＰＳポール、またはＱｏＳヌルフレームの後のある時間の間送信するのを防止する遅延タイマを提供することができる。タイマは、各々の成功裏のＵＬ−ＭＵ−ＭＩＭＯ  ＴＸＯＰの後に再始動されることができる。一態様において、ＡＰ１１０は、セットアップフェーズにおいてＳＴＡ１２０に遅延タイマを示すことができるか、または、遅延タイマは、各ＳＴＡ１２０に関して異なることができる。別の態様において、ＡＰ１１０は、ＣＴＸメッセージ４０２において遅延タイマを示すことができ、または、遅延タイマは、ＣＴＸメッセージ４０２におけるＳＴＡ１２０の順序に依存することができ、および、各端末に関して異なることができる。
【００７６】
[0099]別の動作モードにおいて、ＡＰ１１０は、ＳＴＡ１２０がＵＬ−ＭＵ−ＭＩＭＯ送信を送ることを許容されている時間間隔を示すことができる。一態様において、ＡＰ１１０は、ＳＴＡがＵＬ−ＭＵ−ＭＩＭＯ送信を要求するためにＡＰ１１０にＲＴＸまたはＲＴＳまたは他の要求を送信することを許容されている時間間隔をＳＴＡ１２０に示す。この態様において、ＳＴＡ１２０は、正規のコンテンションプロトコルを使用することができる。別の態様において、ＳＴＡは、時間間隔中はＵＬ−ＭＵ−ＭＩＭＯ送信を開始し得ず、ＡＰ１１０は、ＵＬ−ＭＵ−ＭＩＭＯ送信を開始するためにＳＴＡにＣＴＸまたは他のメッセージを送信することができる。
【００７７】
[0100]幾つかの実施形態において、ＵＬ−ＭＵ−ＭＩＭＯに関して可能にされたＳＴＡ１２０は、ＵＬのために待機状態のデータを有するためＵＬ−ＭＵ−ＭＩＭＯ  ＴＸＯＰを要求することをＡＰ１１０に示すことができる。一態様において、ＳＴＡ１２０は、ＵＬ−ＭＵ−ＭＩＭＯ  ＴＸＯＰを要求するためのＲＴＳまたはＰＳポールを送信することができる。別の実施形態において、ＳＴＡ１２０は、サービス品質（ＱｏＳ）ヌルデータフレームを含むいずれかのデータフレームを送信することができ、ここで、ＱｏＳ制御フィールドのビット８乃至１５は、空でない待ち行列を示す。この実施形態において、ＳＴＡ１２０は、ＱｏＳ制御フィールドのビット８乃至１５が空でない待ち行列を示すときにいずれのデータフレーム（例えば、ＲＴＳ、ＰＳポール、ＱｏＳヌル、等）がＵＬ−ＭＵ−ＭＩＭＯ送信をトリガするかをセットアップフェーズ中に決定することができる。一実施形態において、ＲＴＳ、ＰＳポール、またはＱｏＳヌルフレームは、ＡＰ１１０がＣＴＸメッセージ４０２で応答するのを許可するまたは許可しない１ビットの指示を含むことができる。別の実施形態において、ＱｏＳヌルフレームは、ＴＸ電力情報と、ＴＩＤごとの待ち行列情報と、を含むことができる。ＴＸ電力情報およびＴＩＤごとの待ち行列情報は、ＱｏＳヌルフレーム内のシーケンス制御フィールドおよびＱｏＳ制御フィールドの２バイト内に挿入されることができ、および、変更されたＱｏＳヌルフレームは、ＵＬ−ＭＵ−ＭＩＭＯ  ＴＸＯＰを要求するためにＡＰ１１０に送信されることができる。別の実施形態において、図１乃至図７を参照し、ＳＴＡ１２０は、ＵＬ−ＭＵ−ＭＩＭＯ  ＴＸＯＰを要求するためにＲＴＸ７０１を送信することができる。
【００７８】
[0101]上述されるＲＴＳ、ＲＴＸ、ＰＳポールまたはＱｏＳヌルフレーム、または他のトリガフレームを受信したことに応答して、ＡＰ１１０は、ＣＴＸメッセージ４０２を送信することができる。一実施形態において、図７を参照し、ＣＴＸメッセージ４０２の送信およびＵＬ−ＭＵ−ＭＩＭＯ送信４１０Ａおよび４１０Ｂの完了後、ＴＸＯＰは、残りのＴＸＯＰをどのように使用するかを決定することができるＳＴＡ１２０Ａおよび１２０Ｂに戻る。別の実施形態において、図７を参照し、ＣＴＸメッセージ４０２の送信およびＵＬ−ＭＵ−ＭＩＭＯ送信４１０Ａおよび４１０Ｂの完了後、ＴＸＯＰは、ＡＰ１１０にとどまり、ＡＰ１１０は、ＳＴＡ１２０Ａまたは１２０Ｂのいずれかにまたは他のＳＴＡに別のＣＴＸメッセージ４０２を送信することによって追加のＵＬ−ＭＵ−ＭＩＭＯ送信のために残りのＴＸＯＰを使用することができる。
【００７９】
[0102]図８は、ＲＴＸフレーム８００の一実施形態の概略図である。ＲＴＸフレーム８００は、フレーム制御（ＦＣ）フィールド８１０と、継続時間フィールド８１５（任意選択）と、送信機アドレス（ＴＡ）／割り振り識別子（ＡＩＤ）フィールド８２０と、受信機アドレス（ＲＡ）／ベーシックサービスセット識別子（ＢＳＳＩＤ）フィールド８２５と、ＴＩＤフィールド８３０と、推定送信（ＴＸ）時間フィールド８５０と、ＴＸ電力フィールド８７０と、を含む。ＦＣフィールド８１０は、制御サブタイプまたは拡張サブタイプを示す。継続時間フィールド８１５は、ネットワーク割り振りベクトル（ＮＡＶ）を設定するようにＲＴＸフレーム８００のいずれかの受信機に指示する。一態様において、ＲＴＸフレーム８００は、継続時間フィールド８１５を有し得ない。ＴＡ／ＡＩＤフィールド８２０は、ＡＩＤまたは完全なＭＡＣアドレスであることができるソースアドレスを示す。ＲＡ／ＢＳＳＩＤフィールド８２５は、ＲＡまたはＢＳＳＩＤを示す。一態様において、ＲＴＸフレームは、ＲＡ／ＢＳＳＩＤフィールド８２５を含み得ない。ＴＩＤフィールド８３０は、ユーザがデータを有するアクセスカテゴリ（ＡＣ）を示す。推定ＴＸ時間フィールド８５０は、ＵＬ−ＴＸＯＰに関して要求された時間を示し、および、ＳＴＡ１２０が現在の計画されたＭＣＳでそのバッファ内の全データを送信するために要求される時間であることができる。ＴＸ電力フィールド８７０は、フレームが送信されている電力を示し、および、リンク品質を推定してＣＴＸフレーム内の電力バックオフ指示を好適化するためにＡＰによって使用されることができる。
【００８０】
[0103]図９は、ＲＴＸフレーム８０１の別の実施形態の概略図である。この実施形態において、ＲＴＸフレーム８０１は、ＴＩＤフィールドと、ＲＴＸ８０１フレーム内に記載された各アクセスクラスに関する推定ＴＸ時間フィールドと、を含む（ＴＩＤフィールド８３１および８４０と、推定ＴＸ時間フィールド８５１、８６０）。
【００８１】
[0104]ＵＬ−ＭＵ−ＭＩＭＯ通信が生じることが許容される前に、ＡＰ１１０は、ＵＬ−ＭＵ−ＭＩＭＯ通信に参加することができるＳＴＡ１２０から情報を収集することができる。ＡＰ１１０は、ＳＴＡ１２０からの送信をスケジューリングすることによってＳＴＡ１２０からの情報の収集を最適化することができる。
【００８２】
[0105]一実施形態において、ＡＰ１１０は、ＳＴＡ１２０からの複数の局アクセス情報フレーム（ＳＩＦ）の送信をスケジューリングするために局スケジューリングフレーム（ＳＳＦ）を使用することができる。ＳＳＦフレームは、ＳＴＡからの応答をトリガするためのより高速の通信を考慮するために短いフレームであることができる。ＳＳＦは、ＣＴＸメッセージ４０２またはＳＴＡ１２０がＳＩＦを送信することを示す別のメッセージであることができる。概して、局アクセス情報は、ＳＴＡに関する任意の情報、例えば、ＳＴＡがどのようにしてＡＰにアクセスすべきか、いつＡＰにアクセスすべきか、またはＡＰにアクセスすべきかどうかに関する情報、を含むことができる。例えば、ＳＩＦは、ＳＴＡ１２０がデータを有すること、どれだけの量のデータを有するか、および、どのようなタイプのデータ（すなわち、どのようなアクセスクラス）であるかを示す情報を含むことができる。それはまた、そのＳＩＦを送信するために使用されている送信電力を含むことができる。一実施形態において、ＳＩＦは、ヌルデータパケット（ＮＤＰ）である。
【００８３】
[0106]ＳＩＦ／ＳＳＦやり取りは、ＴＤＭＡ、ＦＤＭＡ、ＳＤＭＡ、ＯＦＤＭＡ、ＵＬ−ＭＵ−ＭＩＭＯ、または、直交多重方式に基づくいずれかの他の通信システムを使用して最適化されることができる。図１０は、ＦＤＭＡシステムにおけるＳＳＦ／ＳＩＦやり取りの例を示した送信および受信時間概略図である。この実施形態において、ＳＳＦ１００５は、ＡＰ１１０にＳＩＦ１０１０を送信するためのＳＴＡ１２０のリストを含む。ＳＳＦ１００５はまた、ＦＤＭＡ送信１０１０信号の電力を制御するための電力調整情報を含むことができる。ＳＩＦ１０１０Ａおよび１０１０Ｂは、ＳＩＦ１０１０において許容されたＴＩＤ情報ブロックの最大数と同様に、ＳＩＦ応答が常に固定された継続時間であるようにするために予め交渉されることができる。代替として、ＳＩＦ１０１０応答のための時間の量は、予め交渉されることができる。ＳＩＦ１０１０応答のための時間の量はまた、ＳＳＦ１００５内に含められることができる。応答時間が知られているときには、ＳＴＡ１２０は、より高いＭＣＳで送信する、従って、より多くのＴＩＤを送信する、ことが許容される。ＳＳＦにおけるＳＴＡ１２０の順序に基づいた周波数割り振りもまた、いずれのＳＴＡ１２０が通信のためにいずれの２０ＭＨｚブロックを得るかを決定するために予め交渉されることができる。
【００８４】
[0107]図１１は、ＴＤＭＡシステムにおけるＳＳＦ／ＳＩＦやり取りの例を示す送信および受信時間概略図である。この実施形態において、ＳＳＦ１００５は、ＡＰ１１０にＳＩＦ１０１０を送信するためのＳＴＡ１２０のリストを含む。この実施形態において、ＳＩＦ１０１０Ａおよび１０１０Ｂは、ＳＴＡ１２０Ａおよび１２０Ｂによってそれぞれ順次で送信される。ＳＩＦ１０１０Ａおよび１０１０ＢのＭＣＳは、ＳＩＦ１０１０において許容されたＴＩＤの最大数と同様に、各ＳＩＦ１０１０の時間を決定するために予め交渉されることができる。例えば、ＳＴＡ１２０が満たすべきＴＩＤの最大数よりも少ない数を有する場合は、ＳＴＡ１２０は、すべてのＳＩＦが同じ長さであるようにするために残りのＴＩＤをパディングで満たすことができる。代替として、ＳＩＦ１０１０応答のための時間の量は、予め交渉されることができる。ＳＩＦ１０１０応答のための時間の量はまた、ＳＳＦ１００５に含められることができる。応答時間が知られているときには、ＳＴＡ１２０は、より高いＭＣＳで送信する、従って、より多くのＴＩＤ情報ブロックを送信する、ことが許容される。
【００８５】
[0108]別の実施形態において、ＳＳＦ／ＳＩＦやり取りは、ＯＦＤＭＡシステムで生じることができる。この実施形態において、ＳＳＦ１００５は、ＳＩＦ１０１０を送信するように要求されているＳＴＡ１２０の総数と、ＡＰ１１０にＳＩＦ１０１０を送信するためのＳＴＡ１２０のリストと、を含む。ＳＳＦ１００５はまた、ＳＩＦ送信１０１０信号の電力を制御するための電力調整情報を含むことができる。この実施形態において、ＳＩＦ１０１０のＭＣＳ、およびＳＩＦ１０１０内のＴＩＤ情報ブロックの数が予め交渉されることができる。代替として、ＳＩＦ１０１０応答のための時間の量はまた、ＳＳＦ１００５に含められることまたは予め交渉されることができる。応答時間がＳＴＡ１２０によって知られているときには、ＳＴＡ１２０は、より高いＭＣＳで送信する、従って、より多くのＴＩＤを送信する、ことが許容される。一態様において、サブキャリアへのＳＴＡ１２０順序のマッピングは、予め交渉されることができ、および、ＳＩＦ１０１０を送信するように要求されているＳＴＡ１２０の数の関数になる。
【００８６】
[0109]別の実施形態において、ＳＳＦ／ＳＩＦやり取りは、ＵＬ−ＭＵ−ＭＩＭＯシステムで生じることができる。この実施形態において、ＳＳＦ１００５は、ＡＰ１１０にＳＩＦ１０１０を送信するためのＳＴＡ１２０のリストを含む。ＳＳＦ１００５はまた、ＳＩＦ送信１０１０信号の電力を制御するための電力調整情報を含むことができる。この実施形態において、ＳＩＦ１０１０のＭＣＳは、予め交渉されることができる。一態様において、空間ストリームへのＳＴＡ１２０順序のマッピングは、予め交渉されることができ、および、ＳＩＦ１０１０を送信するように要求されているＳＴＡ１２０の数の関数になる。さらに、ＳＩＦ１０１０内で許容されるＴＩＤの最大数およびＳＩＦ１０１０応答のための時間の量は、予め交渉されることができる。代替として、ＳＩＦ１０１０応答のための時間の量はまた、ＳＳＦ１０１０に含められることまたは予め交渉されることができる。応答時間がＳＴＡ１２０によって知られているときには、ＳＴＡ１２０は、より高いＭＣＳで送信する、従って、より多くのＴＩＤを送信する、ことが許容される。
【００８７】
[0110]上述されるように、ＣＴＸメッセージ４０２は、様々な通信で使用されることができる。図１２は、ＣＴＸフレーム１２００構造の例の概略図である。この実施形態において、ＣＴＸフレーム１２００は、フレーム制御（ＦＣ）フィールド１２０５と、継続時間フィールド１２１０と、送信機アドレス（ＴＡ）フィールド１２１５と、制御（ＣＴＲＬ）フィールド１２２０と、ＰＰＤＵ継続時間フィールド１２２５と、ＳＴＡ情報フィールド１２３０と、フレーム検査シーケンス（ＦＣＳ）フィールド１２８０と、を含む制御フレームである。ＦＣフィールド１２０５は、制御サブタイプまたは拡張サブタイプを示す。継続時間フィールド１２１０は、ネットワーク割り振りベクトル（ＮＡＶ）を設定するようにＣＴＸフレーム１２００のいずれかの受信機に指示する。ＴＡフィールド１２１５は、送信機アドレスまたはＢＳＳＩＤを示す。ＣＴＲＬフィールド１２２０は、概して、フレームの残りの部分のフォーマットに関する情報（例えば、ＳＴＡ情報フィールドの数およびＳＴＡ情報フィールド内におけるいずれかのサブフィールドの存在または不在）と、ＳＴＡ１２０に関するレート好適化に関する指示と、許容されるＴＩＤの指示と、ＣＴＳはＣＴＸフレーム１２００の直後に送信されなければならないことの指示と、を含むことができるフィールドである。ＣＴＲＬフィールド１２２０はまた、ＣＴＸフレーム１２００がＵＬ  ＭＵ  ＭＩＭＯのためにまたはＵＬ  ＦＤＭＡのために、または両方のために使用されているかどうかを示し、Ｎｓｓまたはトーン割り振りフィールドがＳＴＡ情報フィールド１２３０内に存在するかどうかを示すことができる。代替として、ＣＴＸがＵＬ  ＭＵ  ＭＩＭＯのためであるかまたはＵＬ  ＦＤＭＡのためであるかの指示は、サブタイプの値に基づくことができる。ＵＬ  ＭＵ  ＭＩＭＯおよびＵＬ  ＦＤＭＡ動作は、使用されるべき空間ストリームおよび使用されるべきチャネルの両方をＳＴＡに指定することによってまとめて実行されることができ、その場合は、両方のフィールドがＣＴＸ内に存在しており、この場合、Ｎｓｓ指示は、特定のトーン割り振りと呼ばれることに注目すること。ＰＰＤＵ継続時間１２２５フィールドは、ＳＴＡ１２０が送信することを許容される後続するＵＬ−ＭＵ−ＭＩＭＯ  ＰＰＤＵの継続時間を示す。ＳＴＡ情報１２３０フィールドは、特定のＳＴＡに関する情報を含み、および、１つのＳＴＡごとの（１つのＳＴＡ１２０ごとの）情報の組を含むことができる（ＳＴＡ情報１  １２３０およびＳＴＡ情報Ｎ  １２７５を参照）。ＳＴＡ情報１２３０フィールドは、ＳＴＡを識別するＡＩＤまたはＭＡＣアドレスフィールド１２３２と、ＳＴＡが（ＵＬ−ＭＵ−ＭＩＭＯシステムにおいて）使用することができる空間ストリームの数を示す空間ストリーム数フィールド（Ｎｓｓ）１２３４フィールドと、ＳＴＡがトリガフレーム（この場合はＣＴＸ）の受信と比較してその送信を調整すべき時間を示す時間調整１２３６フィールドと、ＳＴＡが宣言された送信電力から取るべき電力バックオフを示す電力調整１２３８フィールドと、ＳＴＡが（ＵＬ−ＦＤＭＡシステムにおいて）使用することができるトーンまたは周波数を示すトーン割り振り１２４０フィールドと、許容可能なＴＩＤを示す許容ＴＩＤ１２４２フィールドと、許容されるＴＸモードを示す許容ＴＸモード１２４４フィールドと、ＳＴＡが使用すべきＭＣＳを示すＭＣＳ１２４６フィールドと、を含むことができる。許容ＴＩＤ１２４２指示を有するＣＴＸを受信するＳＴＡ１２０は、そのＴＩＤのみのデータ、同じまたはより高いＴＩＤのデータ、同じまたはより低いＴＩＤのデータ、任意のデータ、またはそのＴＩＤのデータのみを最初に送信することが許容されることができ、いずれのデータも入手可能でない場合は、他のＴＩＤのデータを送信することが許容されることができる。ＦＣＳ１２８０フィールドは、ＣＴＸフレーム１２００の誤り検出のために使用されるＦＣＳ値を搬送することを示す。
【００８８】
[0111]図１３は、ＣＴＸフレーム１２００構造の別の例の概略図である。この実施形態においておよび図１２と連繋させて、ＳＴＡ情報１２３０フィールドは、ＡＩＤまたはＭＡＣアドレス１２３２フィールドを含まず、代わりに、ＣＴＸフレーム１２００は、個々の識別子ではなくグループ識別子によって１つまたは複数の局を識別するグループ識別子（ＧＩＤ）１２２６フィールドを含む。図１４は、ＣＴＸフレーム１２００構造の別の例の概略図である。この実施形態においておよび図１３と連繋させて、ＧＩＤ１２２６フィールドは、マルチキャストＭＡＣアドレスを通じてＳＴＡのグループを識別するＲＡ１２１４フィールドによって取って代わられる。
【００８９】
[0112]図１５は、ＣＴＸ１５００フレーム構造の例の概略図である。この実施形態において、ＣＴＸ１５００フレームは、管理ＭＡＣヘッダ１５０５フィールドと、本体１５１０フィールドと、ＦＣＳ１５８０フィールドと、を含む管理フレームである。本体１５１０フィールドは、情報要素（ＩＥ）を識別するＩＥ  ＩＤ１５１５フィールド、ＣＴＸ１５００フレームの長さを示すＬＥＮ１５２０フィールド、ＣＴＲＬ１２２０フィールドと同じ情報を含むＣＴＲＬ１５２５フィールド、ＳＴＡ１２０が送信することを許容される後続するＵＬ−ＭＵ−ＭＩＭＯ  ＰＰＤＵの継続時間を示すＰＰＤＵ継続時間１５３０フィールド、後続するＵＬ−ＭＵ−ＭＩＭＯ送信において使用するすべてのＳＴＡに関するＭＣＳを示すことができるＭＣＳ１５７５フィールド、または、後続するＵＬ−ＭＵ−ＭＩＭＯ送信において使用するすべてのＳＴＡに関するＭＣＳバックオフを含む管理フレームである。（ＳＴＡ情報Ｎ１５７０とともに）ＳＴＡ情報１  １５３５フィールドは、ＳＴＡを識別するＡＩＤ１５４０フィールドを含む１つのＳＴＡごとのフィールド、ＳＴＡが（ＵＬ−ＭＵ−ＭＩＭＯシステムにおいて）使用することができる空間ストリームの数を示す空間ストリーム数フィールド（Ｎｓｓ）１５４２フィールドの数、ＳＴＡがトリガフレーム（この場合はＣＴＸ）の受信と比較してその送信を調整すべき時間を示す時間調整１５４４フィールド、ＳＴＡが宣言された送信電力から取るべき電力バックオフを示す電力調整１５４６フィールド、ＳＴＡが（ＵＬ−ＦＤＭＡシステムにおいて）使用することができるトーンまたは周波数を示すトーン割り振り１５４８フィールド、および、許容可能なＴＩＤを示す許容ＴＩＤ１５５０フィールドを表す。
【００９０】
[0113]一実施形態において、ＣＴＸフレーム１２００またはＣＴＸ１５００フレームは、ＵＬ信号を送信する前の処理のためにＳＴＡ１２０に時間を提供するためにＡ−ＭＰＤＵにおいてアグリゲートされることができる。この実施形態において、到来するパケットを処理するための追加の時間をＳＴＡ１２０に許容するためにＣＴＸの後にパディングまたはデータが加えられることができる。ＣＴＸフレームをパディングすることの１つの利益は、他のＳＴＡ１２０からのＵＬ信号に関する起こり得るコンテンション問題を回避することであることができる。一態様において、ＣＴＸが管理フレームである場合は、追加のパディングＩＥが送信されることができる。別の態様において、ＳＴＡ１２０は、ＣＴＸフレームに関する最小の継続時間またはパディングをＡＰ１１０に要求することができる。
【００９１】
[0114]幾つかの実施形態において、ＡＰ１１０は、ＣＴＸ送信を開始することができる。一実施形態において、ＡＰ１１０は、正規の拡張分散チャネルアクセス（ＥＤＣＡ）コンテンションプロトコルによりＣＴＸメッセージ４０２を送信することができる。別の実施形態において、ＡＰ１１０は、スケジューリングされた時間にＣＴＸメッセージ４０２を送信することができる。この実施形態において、スケジューリングされた時間は、ＳＴＡ１２０のグループが媒体にアクセスするために予約された時間を示すビーコン内の制限アクセスウィンドウ（ＲＡＷ）指示、ＵＬ−ＭＵ−ＭＩＭＯ送信に参加するために同時にウェークするように複数のＳＴＡ１２０に指示する、各ＳＴＡ１２０とのターゲットウェーク時間（ＴＷＴ）合意、または他のフィールド内の情報を使用することによってＳＴＡ１２０にＡＰ１１０によって示されることができる。ＲＡＷおよびＴＷＴの外側では、ＳＴＡ１０２は、任意のフレーム、またはフレームの部分組（例えば、データでないフレーム）のみを送信することが許容されることができる。幾つかのフレームを送信することが禁止されることもできる（例えば、データフレームを送信することが禁止されることができる）。ＳＴＡ１２０はまた、それがスリープモードにあることを示すことができる。ＣＴＸをスケジューリングすることの１つの利点は、複数のＳＴＡ１２０が同じＴＷＴまたはＲＡＷ時間に関して指示されることができおよびＡＰ１１０から送信を受け取ることができることである。
【００９２】
[0115]一実施形態において、ＣＴＸメッセージ４０２は、単一のＳＴＡ１２０のための情報を含むことができる。この実施形態において、ＡＰ１１０は、１つのＳＴＡ１２０のための情報を含む複数のＣＴＸメッセージ４０２を複数のＳＴＡ１２０に同時に送信し、後続するＵＬ−ＭＵ−ＭＩＭＯ送信４１０に関するスケジュールを作成することができる。図１６は、複数のＣＴＸメッセージ４０２Ａおよび４０２Ｂを同時に送信する例を示した送信および受信時間概略図である。示されるように、ＣＴＸメッセージ４０２Ａおよび４０２Ｂは、１つの局に各々（ＳＴＡ１２０Ａおよび１２０Ｂにそれぞれ）ＤＬ−ＭＵ−ＭＩＭＯまたはＤＬ−ＦＤＭＡ送信を使用して同時に送信されることができる。ＳＴＡ１２０Ａおよび１２０Ｂは、ＣＴＸメッセージ４０２Ａおよび４０２Ｂを受信し、次に、ＵＬ−ＭＵ−ＭＩＭＯ（またはＵＬ−ＦＤＭＡ）送信４１０Ａおよび４１０Ｂを開始する。図１７は、送信および受信時間概略図であり、Ａ−ＭＰＤＵメッセージ４０７Ａおよび４０７Ｂ内のＣＴＸメッセージを送信する例を示す。図１６におけるように、Ａ−ＭＰＤＵメッセージ４０７Ａおよび４０７ＢのＣＴＸ部分は、１つのＳＴＡ（それぞれＳＴＡ１２０Ａおよび１２０Ｂ）のための情報を含み、ＳＴＡ１２０Ａおよび１２０Ｂは、メッセージ４０７Ａおよび４０７Ｂを受信し、ＵＬ−ＭＵ−ＭＩＭＯ（またはＵＬ−ＦＤＭＡ）送信４１０Ａおよび４１０Ｂを開始する。
【００９３】
[0116]他の実施形態において、ＳＴＡ１２０は、ＣＴＸメッセージ４０２を受信した後にＵＬ送信を開始し得ない。一実施形態において、ＡＰ１１０は、ＵＬ送信をトリガする新しいフレームを定義する。新しいフレームは、ＡＰ１１０によって示された任意のフレームであることができおよびＮＤＰフレームを備えることができる。この実施形態において、新しいフレームは、フレームがＣＴＸにおいて示されたトリガフレームと同じトリガフレームであることをＳＴＡが知っており、ＵＬ送信を開始することができるようにするために、ＣＴＸにフレームをリンクするシーケンスまたはトークン数を含むことができる。フレームはまた、送信を聞いている他のＳＴＡ１２０がそれらのＮＡＶを設定することができるようにするための継続時間を含むことができる。ＳＴＡ１２０は、ＡＣＫまたは同様のフレームを送信することによってＣＴＸの受信に関して肯定応答することができる。別の実施形態において、ＳＴＡ１２０は、トリガフレームの使用を要求することができる。要求は、トリガが即時であるかまたは遅延されることを示すことができる。別個のトリガフレームを有することの１つの利益は、トリガフレームはＵＬ送信前にＣＴＸを処理するためのより多くの時間をＳＴＡに与えることができることである。別の利益は、トリガフレームは、ＣＴＸよりも短いフレームであることができおよびより高速のＵＬ時間を考慮するために後続するＣＴＸメッセージなしで複数の時間に送信されることができることである。トリガフレームは、直後に、またはＣＴＸからの１つの予め指定されたオフセットでまたはオフセットの組で、ＣＴＸに後続することができる。
【００９４】
[0117]図１８は、ＣＴＸ／トリガやり取りの一実施形態を示した送信および受信時間概略図である。この実施形態において、ＡＰ１１０は、ＳＴＡ１２０にＣＴＸメッセージ４０２を送信し、その後に、トリガフレーム４０５を送信する。ＳＴＡ１２０Ａおよび１２０Ｂは、トリガフレーム４０５を一旦受け取った時点で、ＵＬ−ＭＵ−ＭＩＭＯ送信４１０Ａおよび４１０Ｂを開始する。図１９は、ＣＴＸメッセージ４０２とトリガフレーム４０５との間の時間が図１８において示されるそれよりも大きい例を示す送信および受信時間概略図である。図２０は、複数のＵＬ−ＭＵ−ＭＩＭＯ４１０送信を開始するための時間にわたって複数のトリガフレーム４０５を送信する例を示す送信および受信時間概略図である。この実施形態において、ＳＴＡ１２０Ａおよび１２０Ｂは、トリガフレームがＣＴＸ内で示されるのと同じシーケンス又はトークン数を有することを確認して送信を開始することができるため、第２のトリガフレーム４０５は、第２のＵＬ−ＭＵ−ＭＩＭＯ４１０送信４１０Ａおよび４１０Ｂを開始するためにＣＴＸ４０２によって先行される必要がない。
【００９５】
[0118]幾つかの実施形態において、ＡＰ１１０がＳＴＡ１２０へのＡＣＫまたはＢＡを多重化することができない（すなわち、ＡＰ１１０が同時に複数のＳＴＡにＡＣＫを送信するためにいずれのＤＬ−ＭＵ−ＭＩＭＯまたはＤＬ−ＦＤＭＡも使用していない）場合は、１つのＳＴＡ１２０のみが、ＢＡポリシーを即時ＢＡまたは通常のＡＣＫに設定することを許容されることができ、および、ＡＰ１１０は、ＣＴＸリスト内のいずれのＳＴＡ１２０がＢＡポリシーを設定することができるかを示すことを許容されることができる。指示は、第１の位置のような、ＣＴＸ内におけるそのＳＴＡ１２０に関するＳＴＡ情報フィールドの位置に基づくことができる。
【００９６】
[0119]別の実施形態において、ＡＰ１１０がＳＴＡ１２０へのＡＣＫまたはＢＡを多重化することができる場合は、２つ以上のＳＴＡ１２０が即時ＢＡまたは通常のＡＣＫにＢＡポリシーを設定することができる。この実施形態において、ＡＰ１１０は、即時ＢＡまたは通常のＡＣＫを同時に示した複数のＳＴＡ１２０に即時ＡＣＫを送信するためにＤＬ−ＭＵ−ＭＩＭＯまたはＤＬ−ＦＤＭＡを使用する。異なる実施形態において、ＳＴＡが遅延ＢＡにＢＡポリシーを設定した場合は、ＡＰ１１０は、ＳＴＡ１２０に時系列でＢＡを送信することができる。時系列は、ＳＩＦＳによって分離されることができる。別の実施形態において、ＳＴＡがＢＡにＢＡポリシーを設定した場合は、ＡＰ１１０は、ＢＡを送信する前に各ＳＴＡ１２０からのポールを待つ。別の実施形態において、ブロードキャストＢＡフレームが定義されることができ、それは、複数のＳＴＡ１２０に関するブロック肯定応答を含む。そのようなフレームが使用される場合は、複数のＳＴＡ１２０が即時ＢＡにＡＣＫポリシーを設定することが許容され、即時ＢＡにＡＣＫポリシーを設定するＳＴＡ１２０は、ＵＬ送信直後に送信されたブロードキャストＢＡフレーム内への対応するブロック肯定応答の含有によって肯定応答される。ブロードキャストＢＡはまた、遅延ＢＡポリシーを設定する複数のＳＴＡ１２０に関して肯定応答するために使用されることができ、この場合、ブロードキャストＢＡフレームは、のちの時間にコンテンションとともに送信される。
【００９７】
[0120]上述されるように、例えば図１７に関して、様々な実施形態において、制御情報および／またはトリガ情報は、Ａ−ＭＰＤＵにおいてカプセルに入れられることができる。例えば、図１７において、Ａ−ＭＰＤＵ４０７は、図４乃至図２０に関して上述されるＣＴＸスケジューリング、制御、および／またはトリガ情報を含む。同様に、様々な実施形態において、そのようなスケジューリング、制御、および／またはトリガ情報は、ＣＴＸの代わりに、またはＣＴＸに加えて、アグリゲートされたＰＰＤＵ（Ａ−ＰＰＤＵ）内に含められることができる。換言すると、幾つかの実施形態において、ＣＴＸに関して上述される１つまたは複数のフィールドまたはインジケータがＡ−ＰＰＤＵ内に含められることができ、図４乃至図２０において示される時系列図のうちの１つまたは複数内のＣＴＸに取って代わることができる。
【００９８】
[0121]図２１は、アグリゲートされたＰＰＤＵ（Ａ−ＰＰＤＵ）２１００の一実施形態を示した概略図である。図２１において示されるように、Ａ−ＰＰＤＵ２１００は、共通ＰＨＹヘッダ２１１０と、１つまたは複数の、１つのＰＰＤＵごとのヘッダ２１２０、２１４０、および２１６０と、１つまたは複数の、１つのＰＰＤＵごとのペイロード２１３０、２１５０、および２１７０と、を含む。示されたＡ−ＰＰＤＵ２１００は、ＳＵ  ＰＰＤＵヘッダ２１２０およびペイロード２１３０と、Ｎ−１  ＭＵ  ＰＰＤＵヘッダおよびペイロード２１４０乃至２１７０と、を含むが、示されたＡ−ＰＰＤＵ２１００は追加のフィールドを含むことができること、フィールドは再配置、除去、および／またはサイズを再設定されることができること、および、フィールドの内容は変えられることができることを当業者は認識するであろう。例えば、様々な実施形態において、ＳＵ  ＰＰＤＵヘッダ２１２０およびペイロード２１３０は、異なる位置にあることができ、２つ以上のＳＵ  ＰＰＤＵが存在することができ、任意の数のＭＵ  ＰＰＤＵが存在することができ、等である。
【００９９】
[0122]共通ＰＨＹヘッダ２１１０は、獲得および／または同期化情報のような、Ａ−ＰＰＤＵ２１００内の各ＰＰＤＵに共通するＰＨＹ層情報を提供する働きをする。様々な実施形態において、共通ＰＨＹヘッダ２１１０は、Ａ−ＰＰＤＵ２１００が、すべてのＳＴＡが復号するように指示されるブロードキャスト／マルチキャスト情報を有する少なくとも１つのＰＰＤＵを含むかどうかを（例えば、１つまたは複数のビットまたはフラグを介して）示すことができる。一実施形態において、指示が設定されたときには、１つまたは複数のＳＴＡ１２０は、（例えば、ＳＵペイロード２１３０内の）ブロードキャスト／マルチキャスト情報を得るために後続するＰＰＤＵを復号するように構成されることができる。
【０１００】
[0123]ＳＵ  ＰＨＹヘッダ２１２０は、ＳＵペイロード２１３０に固有のＰＨＹ層情報を提供する働きをする。様々な実施形態において、ＳＵ  ＰＨＹヘッダ２１２０は、Ａ−ＰＰＤＵ２１００が、すべてのＳＴＡが復号するように指示されるブロードキャスト／マルチキャスト情報を有する少なくとも１つのＰＰＤＵを含むかどうかを（例えば、１つまたは複数のビットまたはフラグを介して）示すことができる。一実施形態において、指示が設定されたときには、１つまたは複数のＳＴＡ１２０は、（例えば、ＳＵペイロード２１３０内の）ブロードキャスト／マルチキャスト情報を得るために後続するＰＰＤＵを復号するように構成されることができる。
【０１０１】
[0124]示された実施形態において、ＳＵペイロード２１３０は、制御情報、例えば、ブロードキャストデータ、マルチキャストデータ、制御情報、および／またはＳＵおよびＭＵ  ＳＴＡの両方によって復号されることができる管理情報、を含む。様々な実施形態において、ＳＵ  ＰＨＹヘッダ２１２０およびＳＵペイロード２１３０は、ブロードキャストまたはユニキャストされることができる。様々な実施形態において、ＳＵ  ＰＨＹヘッダ２１２０およびＳＵペイロード２１３０は、Ａ−ＰＰＤＵ２１００内の第１の位置以外の位置にあることができる。
【０１０２】
[0125]ＭＵ  ＰＨＹヘッダ２１４０は、ＭＵペイロード２１５０に固有のＰＨＹ層情報を提供する働きをする。様々な実施形態において、ＭＵ  ＰＨＹヘッダ２１４０は、Ａ−ＰＰＤＵ２１００が、すべてのＳＴＡが復号するように指示されるブロードキャスト／マルチキャスト情報を有する少なくとも１つのＰＰＤＵを含むかどうかを（例えば、１つまたは複数のビットまたはフラグを介して）示すことができる。一実施形態において、指示が設定されたときには、１つまたは複数のＳＴＡ１２０は、（例えば、ＳＵペイロード２１３０内の）ブロードキャスト／マルチキャスト情報を得るために後続するＰＰＤＵを復号するように構成されることができる。
【０１０３】
[0126]示されるように、Ａ−ＰＰＤＵ２１００は、合計Ｎ個のＰＰＤＵを含むことができる。様々な実施形態において、ＰＨＹヘッダ２１６０は、ＳＵ  ＰＨＹヘッダ２１２０およびＭＵ  ＰＨＹヘッダ２１４０のうちの１つと同様であることができる。様々な実施形態において、ペイロード２１７０は、ＳＵペイロード２１３０およびＭＵペイロード２１５０のうちの１つと同様であることができる。様々な実施形態において、ＭＵ  ＰＰＤＵは、完全に省略されることができる。
【０１０４】
[0127]様々な実施形態において、図２１のＡ−ＰＰＤＵ２１００は、例えば８０２．１１ａｘのようなＵＬ  ＭＵ  ＭＩＭＯ／ＯＦＤＭＡプロトコルと連繋して使用されることができる。例えば、Ａ−ＰＰＤＵ２１００は、ＣＴＸおよび図４乃至図２０のやり取りに関して上述されるスケジューリングおよび／またはトリガ情報を含むことができる。従って、様々な実施形態において、ＡＰ１１０は、１つまたは複数のＳＴＡ１２０からのＵＬ  ＰＰＤＵをスケジューリングするためにＡ−ＰＰＤＵ２１００を送信することができる。様々な実施形態において、そのようなやり取りは、本明細書においてはＡ−ＰＰＤＵトリガやり取りと呼ばれることができる。
【０１０５】
[0128]図２２は、Ａ−ＰＰＤＵトリガやり取りの一実施形態を示す送信および受信時間概略図である。図２２において示されるように、Ａ−ＰＰＤＵ２２００は、共通ＰＨＹヘッダ２２１０と、１つまたは複数の、１つのＰＰＤＵごとのヘッダ２２２０および２２４０と、１つまたは複数の、１つのＰＰＤＵごとのペイロード２２３０および２２５０と、を含む。やり取りは、１つまたは複数のスケジューリングされたＵＬ  ＰＰＤＵ２２８０および２２９０をさらに含む。示されたＡ−ＰＰＤＵ２２００トリガやり取りは、１つのＳＵ  ＰＰＤＵヘッダ２２２０およびペイロード２２３０と、１つのＭＵ  ＰＰＤＵヘッダ２２４０およびペイロード２２５０と、を含むが、示されたＡ−ＰＰＤＵ２２００トリガやり取りは追加のフィールドを含むことができること、フィールドは再配置、除去、および／またはサイズを再設定されることができること、および、フィールドの内容は変えられることができることを当業者は認識するであろう。例えば、様々な実施形態において、ＳＵ  ＰＰＤＵヘッダ２２２０およびペイロード２２３０は、異なる位置にあることができ、２つ以上のＳＵ  ＰＰＤＵが存在することができ、任意の数のＭＵ  ＰＰＤＵが存在することができ、異なる数のスケジューリングされたＵＬ  ＰＰＤＵが存在することができ、等である。
【０１０６】
[0129]共通ＰＨＹヘッダ２２１０は、獲得および／または同期化情報のような、Ａ−ＰＰＤＵ２２００内の各ＰＰＤＵに共通するＰＨＹ層情報を提供する働きをする。様々な実施形態において、共通ＰＨＹヘッダは、Ａ−ＰＰＤＵ２２００が、すべてのＳＴＡが復号するように指示されるブロードキャスト／マルチキャスト情報を有する少なくとも１つのＰＰＤＵを含むかどうかを（例えば、１つまたは複数のビットまたはフラグを介して）示すことができる。一実施形態において、指示が設定されたときには、１つまたは複数のＳＴＡ１２０は、（例えば、ＳＵペイロード２２３０内の）ブロードキャスト／マルチキャスト情報を得るために後続するＰＰＤＵを復号するように構成されることができる。
【０１０７】
[0130]ＳＵ  ＰＨＹヘッダ２２２０は、ＳＵペイロード２２３０に固有のＰＨＹ層情報を提供する働きをする。様々な実施形態において、ＳＵ  ＰＨＹヘッダ２２２０は、Ａ−ＰＰＤＵ２２００が、すべてのＳＴＡが復号するように指示されるブロードキャスト／マルチキャスト情報を有する少なくとも１つのＰＰＤＵを含むかどうかを（例えば、１つまたは複数のビットまたはフラグを介して）示すことができる。一実施形態において、指示が設定されたときには、１つまたは複数のＳＴＡ１２０は、（例えば、ＳＵペイロード２２３０内の）ブロードキャスト／マルチキャスト情報を得るために後続するＰＰＤＵを復号するように構成されることができる。
【０１０８】
[0131]示された実施形態において、ＳＵペイロード２２３０は、ＵＬ  ＰＰＤＵ２２８０および２２９０のような１つまたは複数のＵＬ  ＰＰＤＵをスケジューリングするためのＵＬスケジューリング情報２２３０を含む。様々な実施形態において、ＵＬスケジューリング情報２２３０は、図５乃至図２０に関して様々な形で上述されている、ＣＴＸ４０２、１０３５、１２００、および１５００、ＣＴＳ４０８、ＳＳＦ１００５、Ａ−ＭＰＤＵ４０７、ＢＡ４７０、およびトリガフレーム４０５のうちの１つまたは複数に関して上述される１つまたは複数のフィールドまたはインジケータを含むことができる。例えば、様々な実施形態において、ＵＬスケジューリング情報２２３０は、１つまたは複数のＵＬ  ＰＰＤＵを送信することが許可されたまたは命令されたＳＴＡの識別、空間ストリーム、トーン、等、ＵＬ送信のスケジューリング時間および／または継続時間、スケジューリングされたＵＬ送信のタイプおよび内容、等のＳＴＡに割り振られたリソースの識別、のうちの１つまたは複数を含むことができる。様々な実施形態において、ＵＬスケジューリング情報２２３０に含められた情報は、共通ＰＨＹヘッダ２２１０から省くことができる。様々な実施形態において、ＳＵ  ＰＨＹヘッダ２２２０およびＳＵペイロード２２３０は、ブロードキャストまたはユニキャストされることができる。様々な実施形態において、ＳＵ  ＰＨＹヘッダ２２２０およびＳＵペイロード２２３０は、Ａ−ＰＰＤＵ２２００内の第１の位置以外の位置にあることができる。
【０１０９】
[0132]ＭＵ  ＰＨＹヘッダ２２４０は、ＭＵペイロード２２５０に固有のＰＨＹ層情報を提供する働きをする。様々な実施形態において、ＭＵ  ＰＨＹヘッダ２２４０は、Ａ−ＰＰＤＵ２２００が、すべてのＳＴＡが復号するように指示されるブロードキャスト／マルチキャスト情報を有する少なくとも１つのＰＰＤＵを含むかどうかを（例えば、１つまたは複数のビットまたはフラグを介して）示すことができる。一実施形態において、指示が設定されたときには、１つまたは複数のＳＴＡ１２０は、（例えば、ＳＵペイロード２２３０内の）ブロードキャスト／マルチキャスト情報を得るために後続するＰＰＤＵを復号するように構成されることができる。
【０１１０】
[0133]一実施形態において、ＡＰ１１０は、１つまたは複数のＳＴＡ１２０に、ＵＬスケジューリング情報２２３０を有するＡ−ＰＰＤＵ２２００を送信することができる。ＳＴＡ１２０は、ＵＬスケジューリング情報を復号することができおよびＵＬ  ＰＰＤＵを送信するように命令される時間を決定することができる。様々な実施形態において、ＵＬ  ＰＰＤＵは、ショートフレーム間スペース（ＳＩＦＳ）により間隔があけられることができ、別の間隔により間隔があけられることができ、または間隔をあけないことができる。示された実施形態において、ＳＴＡ１２０は、ＵＬスケジューリング情報２２３０によりＵＬ  ＰＰＤＵ１  ２２８０およびＵＬ  ＰＰＤＵ２  ２２９０を送信する。
【０１１１】
[0134]図２３Ａ乃至図２３Ｄは、Ａ−ＰＰＤＵトリガやり取りの様々な実施形態を示す時系列図２３００Ａ乃至２３００Ｄを示す。示されたＡ−ＰＰＤＵトリガやり取りは追加の送信および／またはフィールドを含むことができること、送信および／またはフィールドは再配置、除去、および／またはサイズを再設定されることができること、および、送信および／またはフィールドの内容は変えられることができることを当業者は認識するであろう。例えば、様々な実施形態において、Ａ−ＰＰＤＵトリガやり取りは、Ａ−ＰＰＤＵ２３２０Ａがレガシー互換性のない実施形態においてＡ−ＰＰＤＵ２３２０Ａに先行することができるＣＴＳ２３１０を任意選択で含むことができる。ＣＴＳ２３１０は、Ａ−ＰＰＤＵトリガやり取りを保護するためにＮＡＶを設定することができる。様々な実施形態において、Ａ−ＰＰＤＵトリガやり取りは、ＣＴＳ２３１０に加えて、またはＣＴＳ２３１０の代わりに、やり取りを保護する別のフレームを含むことができる。
【０１１２】
[0135]図２３Ａにおいて示されるように、ＡＰ１１０は、１つまたは複数のＳＴＡ１２０に、トリガ情報と１つまたは複数のＤＬ  ＭＵ  ＰＰＤＵとを含むＡ−ＰＰＤＵ２３２０Ａを送信することができる。ＳＴＡ１２０は、ＤＬ  ＭＵ  ＰＰＤＵを受信することができ、および、Ａ−ＰＰＤＵ２３２０Ａのトリガ情報に少なくとも部分的に基づいて１つまたは複数のＢＡ２３３０を送信することができる。
【０１１３】
[0136]図２３Ｂにおいて示されるように、ＡＰ１１０は、１つまたは複数のＳＴＡ１２０に、トリガ情報と１つまたは複数のＤＬ  ＭＵ  ＰＰＤＵとを含むＡ−ＰＰＤＵ２３２０Ｂを送信することができる。ＳＴＡ１２０は、ＤＬ  ＭＵ  ＰＰＤＵを受信することができ、および、Ａ−ＰＰＤＵ２３２０Ｂのトリガ情報に少なくとも部分的に基づいて１つまたは複数のＭＵ−ＰＰＤＵ２３４０を送信することができる。ＳＴＡ１２０は、Ａ−ＰＰＤＵ２３２０Ｂのトリガ情報に少なくとも部分的に基づいて１つまたは複数のＭＵ−ＰＰＤＵ２３４０をさらに送信することができる。
【０１１４】
[0137]図２３Ｃにおいて示されるように、ＡＰ１１０は、１つまたは複数のＳＴＡ１２０に、トリガ情報を含むＡ−ＰＰＤＵ２３２０Ｃを送信することができる。ＳＴＡ１２０は、ＤＬ  ＭＵ  ＰＰＤＵを受信することができ、および、Ａ−ＰＰＤＵ２３２０Ｃのトリガ情報に少なくとも部分的に基づいて１つまたは複数のＭＵ−ＰＰＤＵ２３４０を送信することができる。ＡＰ１１０は、１つまたは複数のＳＴＡ１２０に、ＭＵ−ＰＰＤＵ２３４０に関するトリガ情報とＢＡとを含むＡ−ＰＰＤＵ２３５０を送信することができる。ＳＴＡ１２０は、ＢＡを受信することができ、および、Ａ−ＰＰＤＵ２３５０のトリガ情報に少なくとも部分的に基づいて１つまたは複数の追加のＭＵ−ＰＰＤＵ２３４０を送信することができる。
【０１１５】
[0138]図２３Ｄにおいて示されるように、ＡＰ１１０は、１つまたは複数のＳＴＡ１２０に、トリガ情報と１つまたは複数のＤＬ  ＭＵ  ＰＰＤＵとを含むＡ−ＰＰＤＵ２３２０Ｄを送信することができる。ＳＴＡ１２０は、ＤＬ  ＭＵ  ＰＰＤＵを受信することができ、および、Ａ−ＰＰＤＵ２３２０Ｄのトリガ情報に少なくとも部分的に基づいて１つまたは複数のＢＡ２３３０を送信することができる。ＳＴＡ１２０は、Ａ−ＰＰＤＵ２３２０Ｄのトリガ情報に少なくとも部分的に基づいてＡＰ１１０にトラフィック能力に関する情報をさらに送信することができる。例えば、様々な実施形態において、トラフィック情報は、図１０および図１１に関して上述されるＳＩＦ１０１０のような１つまたは複数のＳＩＦを含むことができる。
【０１１６】
[0139]図２４は、図１の無線通信システム１００内で使用されることができる無線通信の例示的な方法に関するフローチャート２４００を示す。方法は、ＡＰ１１０（図１）、ＳＴＡ１２０のうちのいずれか（図１）、および図３において示される無線デバイス３０２のような、本明細書において説明されるデバイスによって全体的にまたは部分的に実装されることができる。示された方法は、本明細書においては、図１に関して上述される無線通信システム１００、図３に関して上述される無線デバイス３０２、および、図４乃至図２０のフレームおよびフレームやり取りに関連して説明されるが、示された方法は、本明細書において説明される別のデバイス、またはいずれかの他の適切なデバイスによって実装されることができることを当業者は認識するであろう。示された方法は、本明細書においては特定の順序に関連して説明されるが、様々な実施形態において、本明細書におけるブロックは、異なる順序で実行されること、または省略されることができ、および、追加のブロックが加えられることができる。
【０１１７】
[0140]最初に、ブロック２４１０において、アクセスポイントが、アグリゲートされたメッセージを生成する。アグリゲートされたメッセージは、単一ユーザブロードキャストメッセージと、少なくとも１つの他のメッセージと、を含む。例えば、ＡＰ１１０は、１つまたは複数のＳＴＡ１２０への送信のためにＡ−ＰＰＤＵ２２００を生成することができる。Ａ−ＰＰＤＵ２２００は、特定の時間にＵＬ  ＰＰＤＵ２２８０乃至２２９０を送信するようにＳＴＡ１２０に命令するＵＬスケジューリング情報を含むＳＵペイロード２２３０を含むことができる。様々な実施形態において、単一ユーザブロードキャストメッセージおよび少なくとも１つの他のメッセージは、アグリゲートされたメッセージの「サブメッセージ」と呼ばれることができる。
【０１１８】
[0141]様々な実施形態において、アグリゲートされたメッセージは、単一ユーザブロードキャストメッセージと、１つまたは複数の多ユーザメッセージと、を含むことができる。例えば、Ａ−ＰＰＤＵ２２００は、ＳＵ  ＰＨＹヘッダ２２２０およびペイロード２２３０と、ＭＵ  ＰＨＹヘッダ２２４０およびペイロード２２５０と、を含むことができる。
【０１１９】
[0142]様々な実施形態において、アグリゲートされたメッセージの各サブメッセージは、物理層（ＰＨＹ）制御フィールドを備える少なくとも物理層データユニット（ＰＰＤＵ）と、メディアアクセス制御（ＭＡＣ）ペイロードと、を含むことができる。様々な実施形態において、少なくとも１つの他のメッセージは、少なくとも１つの多ユーザ物理層データユニット（ＰＰＤＵ）を含むことができる。様々な実施形態において、少なくとも１つの他のメッセージは、制御またはスケジューリング情報を除く少なくとも１つの単一ユーザ物理層データユニット（ＰＰＤＵ）を含むことができる。
【０１２０】
[0143]様々な実施形態において、アグリゲートされたメッセージは、少なくとも１つの他のメッセージが、１つまたは複数の局のすべてが復号するように指示される少なくともメッセージを含むかどうかを示す共通物理層ヘッダを含むことができる。例えば、Ａ−ＰＰＤＵ２２００は、共通ＰＨＹヘッダ２２１０を含むことができ、それは、ＳＵペイロード２２５０がＵＬスケジューリング情報を含むことを示すことができる。
【０１２１】
[0144]様々な実施形態において、各メッセージは、少なくとも１つの他のメッセージが、１つまたは複数の局のすべてが復号するように指示される少なくともメッセージを含むかどうかを示す物理層ヘッダを含むことができる。例えば、ＳＵ  ＰＨＹヘッダ２２２０は、ＳＵペイロード２２５０がＵＬスケジューリング情報を含むことを示すことができる。
【０１２２】
[0145]様々な実施形態において、単一ユーザブロードキャストメッセージは、特定の時間にアップリンクデータを送信するように１つまたは複数の局に命令する制御情報を含み、アップリンクデータは、１つまたは複数の局から受信されることができる。例えば、ＵＬスケジューリング情報２２３０は、ＵＬ  ＰＰＤＵ２２８０乃至２２９０を送信するようにＳＴＡ１２０に命令することができ、ＭＵペイロード２２５０の後にＳＩＦＳを開始する。
【０１２３】
[0146]様々な実施形態において、各メッセージは、アップリンクスケジューリングメッセージを含むことができる。例えば、ＳＵペイロード２２３０は、ＵＬスケジューリング情報を含むことができる。様々な実施形態において、アップリンクスケジューリングメッセージは、アップリンクデータの送信の継続時間を示す物理層データユニット（ＰＰＤＵ）継続時間フィールドを含むことができる。様々な実施形態において、アップリンクスケジューリングメッセージは、許容された送信モードの指示を含む局（ＳＴＡ）情報フィールドを含むことができる。例えば、ＵＬスケジューリング情報２２３０は、図４乃至図２０に関して上述されるＣＴＸのフィールドのうちのいずれかを含むことができる。
【０１２４】
[0147]様々な実施形態において、局（ＳＴＡ）情報フィールドは、周波数分割多元接続（ＦＤＭＡ）システムを使用するアップリンクデータに関するトーン／周波数を示すトーン割り振りフィールドを含むことができる。様々な実施形態において、アップリンクスケジューリングメッセージは、アップリンク通信に参加することができるＳＴＡを示すグループ識別子（ＧＩＤ）フィールドを含むことができる。様々な実施形態において、アップリンクスケジューリングメッセージは、アップリンク通信に参加することができる１つまたは複数の局を識別するマルチキャストアドレスを示す受信機アドレス（ＲＡ）フィールドを含むことができる。様々な実施形態において、アップリンクスケジューリングメッセージは、１つまたは複数の局に関するレート情報を示すフィールドを含むことができる。例えば、ＵＬスケジューリング情報２２３０は、図４乃至図２０に関して上述されるＣＴＸのフィールドのうちのいずれかを含むことができる。
【０１２５】
[0148]様々な実施形態において、方法は、１つまたは複数の局にアップリンクスケジューリングメッセージを送信することをさらに含むことができる。アップリンクスケジューリングメッセージは、アップリンクスケジューリングメッセージに応答して局アクセス情報メッセージを送信するように１つまたは複数の局に命令することができる。方法は、複数の局アクセス情報メッセージを受信することをさらに含むことができる。局アクセス情報メッセージは、局アクセス情報を示すことができる。例えば、ＵＬスケジューリング情報２２３０は、トラフィック情報２３６０を提供するようにＳＴＡ１２０に命令することができる。様々な実施形態において、単一ブロードキャストメッセージは、１つまたは複数の局に関するデータ、制御、または管理情報を含むことができる。
【０１２６】
[0149]次に、ブロック２４２０において、アクセスポイントは、１つまたは複数の局にアグリゲートされたメッセージを送信する。例えば、ＡＰ１１０は、ＳＴＡ１２０にＡ−ＰＰＤＵ２２００を送信することができる。ＡＰ１１０は、１つまたは複数のＳＴＡ１２０からＵＬ  ＰＰＤＵ２２８０乃至２２９０のうちの１つまたは複数を受信することができる。様々な実施形態において、複数のアップリンクデータを受信することは、同じ継続時間を有する複数のアップリンクデータを受信することを含むことができる。例えば、ＵＬ  ＰＰＤＵ２２８０およびＵＬ  ＰＰＤＵ２２９０は、互いと同じ継続時間を有することができる。ＵＬ  ＰＰＤＵ２２８０およびＵＬ  ＰＰＤＵ２２９０の各々は、ＭＵ−ＭＩＭＯおよび／またはＯＦＤＭＡにより１つまたは複数のＳＴＡ１２０によって同時に送信された複数のＵＬ  ＰＰＤＵを含むことができる。様々な実施形態において、方法は、１つまたは複数の局に肯定応答メッセージを送信することをさらに含むことができる。例えば、ＡＰ１１０は、幾つかの実施形態においては追加のトリガ情報を有するＢＡ２３５０を送信することができる。
【０１２７】
[0150]一実施形態において、図２４に示される方法は、提供回路と、送信回路と、受信回路と、を含むことができる無線デバイスにおいて実装されることができる。無線デバイスは、本明細書において説明される単純化された無線デバイスよりも多くのコンポーネントを有することができることを当業者は認識するであろう。本明細書において説明される無線デバイスは、請求項の範囲内の実装の幾つかの顕著な特徴について説明するために有用なコンポーネントのみを含む。
【０１２８】
[0151]提供回路は、アグリゲートされたメッセージを送信のために提供するように構成されることができる。一実施形態において、提供回路は、フローチャート２４００のブロック２４１０を実装するように構成されることができる（図２４）。提供回路は、送信機３１０（図３）、トランシーバ３１４（図３）、プロセッサ３０４（図３）、ＤＳＰ３２０（図３）、およびメモリ３０６（図３）のうちの１つまたは複数を含むことができる。幾つかの実装において、提供するための手段は、提供回路を含むことができる。
【０１２９】
[0152]送信回路は、アグリゲートされたメッセージを送信するように構成されることができる。一実施形態において、送信回路は、フローチャート２４００のブロック２４１０を実装するように構成されることができる（図２４）。送信回路は、送信機３１０（図３）、トランシーバ３１４（図３）、プロセッサ３０４（図３）、ＤＳＰ３２０（図３）、およびメモリ３０６（図３）のうちの１つまたは複数を含むことができる。幾つかの実装において、送信するための手段は、送信回路を含むことができる。
【０１３０】
[0153]受信回路は、アップリンクメッセージを受信するように構成されることができる。一実施形態において、受信回路は、フローチャート２４００のブロック２４２０を実装するように構成されることができる（図２４）。受信回路は、受信機３１２（図３）、トランシーバ３１４（図３）、プロセッサ３０４（図３）、ＤＳＰ３２０（図３）、信号検出器３１８（図３）、およびメモリ３０６（図３）のうちの１つまたは複数を含むことができる。幾つかの実装において、受信するための手段は、受信回路を含むことができる。
【０１３１】
[0154]情報および信号は、様々な異なる技術および技法のうちのいずれかを使用して表されることができることを当業者は理解するであろう。例えば、上記の説明全体を通じて参照されることができるデータ、命令、コマンド、情報、信号、ビット、シンボル、およびチップは、電圧、電流、電磁波、磁場、磁粒子、光学場、光学粒子、またはそれらの任意の組合せによって表されることができる。
【０１３２】
[0155]この開示において説明される実装の様々な変更は、当業者にとって容易に明確になるであろう、および本明細書において定められる一般原理は、この開示の精神または適用範囲から逸脱せずに他の実装に対して適用されることができる。以上のように、本開示は、本明細書において示される実装に限定されることは意図されず、本明細書おいて開示される原理および新規の特徴に一致する限りにおいて最も広範な適用範囲が認められるべきである。単語「例示的な」は、「例、実例、または例示として働く」ことを意味するために本明細書のみにおいて使用される。本明細書において「例示的な」として説明されるいずれの実装も、他の実装よりも好ましいまたは有利であるとは必ずしも解釈されるべきでない。
【０１３３】
[0156]この明細書において別々の実装の文脈で説明される幾つかの特徴はまた、組み合わせて単一の実装として実装されることができる。逆に、単一の実装の文脈で説明される様々な特徴はまた、別々にまたは任意の適切な小さい組み合わせで複数の実装として実装されることができる。さらに、特徴は、幾つかの組み合わせで働くとして上述されることができさらに当初はそのように請求されることができるが、請求される組み合わせからの１つまたは複数の特徴は、幾つかの事例においてはその組み合わせから削除されることができ、および、請求される組み合わせは、小さい組み合わせまたは小さい組み合わせの変形を対象とすることができる。
【０１３４】
[0157]上述される方法の様々な動作は、様々なハードウェアおよび／またはソフトウェアコンポーネント、回路、および／またはモジュールのような、動作を実行することが可能な任意の適切な手段によって実行されることができる。概して、図において示される任意の動作は、それらの動作を実行することが可能な対応する機能上の手段によって実行されることができる。
【０１３５】
[0158]本開示に関連して説明される様々な例示的な論理ブロック、モジュールおよび回路は、本明細書において説明される機能を実行するように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）、他のプログラマブル論理デバイス（ＰＬＤ）、ディスクリートゲート論理、ディスクリートトランジスタ論理、ディスクリートハードウェアコンポーネント、またはそれらの任意組合せ、を用いて実装または実行されることができる。汎用プロセッサはマイクロプロセッサであることができるが、代替においては、プロセッサは、任意の市販のプロセッサ、コントローラ、マイクロコントローラ、またはステートマシンであることができる。プロセッサはまた、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、または任意の他のそのような構成、として実装されることができる。
【０１３６】
[0159]１つまたは複数の態様において、説明される機能は、ハードウェア、ソフトウェア、ファームウェア、またはそれらの任意の組み合わせに実装されることができる。ソフトウェアに実装される場合は、それらの機能は、１つまたは複数の命令またはコードとしてコンピュータ可読媒体に格納されることまたはコンピュータ可読媒体を通じて送信されることができる。コンピュータ可読媒体は、コンピュータ記憶媒体と、１つの場所から他へのコンピュータプログラムの転送を容易にする任意の媒体を含む通信媒体と、の両方を含む。記憶媒体は、コンピュータによってアクセスされることができる任意の利用可能な媒体であることができる。例として、および限定することなしに、そのようなコンピュータ可読媒体は、ＲＡＭ、ＲＯＭ、ＥＥＰＲＯＭ（登録商標）、ＣＤ−ＲＯＭまたはその他の光学ディスクストレージ、磁気ディスクストレージまたは他の磁気記憶デバイス、または、希望されるプログラムコードを命令またはデータ構造の形態で搬送または格納するために使用されることができおよびコンピュータによってアクセスされることができる任意の他の媒体、を備えることができる。さらに、任意の接続は、コンピュータ可読媒体であると適切に呼ばれる。例えば、ソフトウェアが、同軸ケーブル、光ファイバケーブル、より対線、デジタル加入者ライン（ＤＳＬ）、または、赤外線、無線、およびマイクロ波のような無線技術を使用してウェブサイト、サーバ、または他の遠隔ソースから送信される場合、同軸ケーブル、光ファイバケーブル、より対線、ＤＳＬは、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。従って、幾つかの態様において、コンピュータ可読媒体は、非一時的なコンピュータ可読媒体（例えば、有形の媒体）を備えることができる。上記の組み合わせもまた、コンピュータ可読媒体の適用範囲内に含められるべきである。
【０１３７】
[0160]本明細書において開示される方法は、説明される方法を達成するための１つまたは複数のステップまたは行動を備える。方法のステップおよび／または行動は、請求項の範囲から逸脱することなしに互換されることができる。換言すると、ステップまたは行動の特定の順序が指定されないかぎり、特定のステップおよび／または行動の順序および／または使用は、請求項の範囲から逸脱せずに変更されることができる。
【０１３８】
[0161]さらに、本明細書において説明される方法および技法を実行するためのモジュールおよび／または他の適切な手段は、ＳＴＡおよび／または基地局によって適宜ダウンロードされることおよび／または別の方法で得られることができる。例えば、そのようなデバイスは、本明細書において説明される方法を実行するための手段の移動を容易にするためにサーバに結合されることができる。代替として、本明細書において説明される様々な方法は、記憶手段（例えば、コンパクトディスク（ＣＤ）またはフロッピーディスク、等のようなＲＡＭ、ＲＯＭ、物理的記憶媒体）を介して提供されることができ、従って、ＳＴＡおよび／または基地局は、デバイスに記憶手段を結合または提供した時点で様々な方法を得ることができる。さらに、本明細書において説明される方法および技法をデバイスに提供するための任意の他の適切な技法が利用されることができる。
【０１３９】
[0162]上記は、本開示の態様を対象にする一方で、本開示の他のおよびさらなる態様は、それの基本的な適用範囲から逸脱せずに案出されることができ、およびそれの適用範囲は、後続する請求項によって決定される。
以下に本願の出願当初の特許請求の範囲に記載された発明を付記する。
［Ｃ１］
無線通信のための方法であって、
アクセスポイントにおいて、単一ユーザブロードキャストメッセージと少なくとも１つの他のメッセージとを備えるアグリゲートされたメッセージを送信することと、
１つまたは複数の局に前記アグリゲートされたメッセージを送信することと、を備える、無線通信のための方法。
［Ｃ２］
前記少なくとも１つの他のメッセージは、少なくとも１つの多ユーザ物理層データユニット（ＰＰＤＵ）を備える、
Ｃ１に記載の方法。
［Ｃ３］
前記少なくとも１つの他のメッセージは、制御またはスケジューリング情報を除く少なくとも１つの単一ユーザ物理層データユニット（ＰＰＤＵ）を備える、
Ｃ１に記載の方法。
［Ｃ４］
前記アグリゲートされたメッセージは、前記少なくとも１つの他のメッセージが、前記１つまたは複数の局のすべてが復号するように指示される少なくともメッセージを含むかどうかを示す共通物理層ヘッダを備える、
Ｃ１に記載の方法。
［Ｃ５］
前記単一ユーザブロードキャストメッセージおよび前記少なくとも１つの他のメッセージは、各々、前記少なくとも１つの他のメッセージが、前記１つまたは複数の局のすべてが復号するように指示される少なくともメッセージを含むかどうかを示す物理層ヘッダを備える、
Ｃ１に記載の方法。
［Ｃ６］
前記単一ユーザブロードキャストメッセージは、指定された時間に複数のアップリンクデータを送信するように前記１つまたは複数の局に命令する制御情報を含む、
Ｃ１に記載の方法。
［Ｃ７］
前記指定された時間に前記複数のアップリンクデータの送信を受信することをさらに備え、前記複数のアップリンクデータの各送信は、同じ継続時間を有する、
Ｃ６に記載の方法。
［Ｃ８］
前記１つまたは複数の局に肯定応答メッセージを送信することをさらに備える、
Ｃ７に記載の方法。
［Ｃ９］
前記単一ユーザブロードキャストメッセージおよび少なくとも１つの他のメッセージの各々は、アップリンクスケジューリングメッセージを備える、
Ｃ１に記載の方法。
［Ｃ１０］
前記アップリンクスケジューリングメッセージは、許容された送信モードの指示を備える局（ＳＴＡ）情報フィールドを備える、
Ｃ９に記載の方法。
［Ｃ１１］
前記局（ＳＴＡ）情報フィールドは、周波数分割多元接続（ＦＤＭＡ）システムを使用するアップリンクデータに関する周波数トーンを示すトーン割り振りフィールドを備える、
Ｃ１０に記載の方法。
［Ｃ１２］
前記アップリンクスケジューリングメッセージは、アップリンク通信に参加することが許容された前記１つまたは複数の局を識別するマルチキャストアドレスを示す受信機アドレス（ＲＡ）フィールドを備える、
Ｃ９に記載の方法。
［Ｃ１３］
前記アップリンクスケジューリングメッセージは、前記１つまたは複数の局に関するレート情報を示すフィールドを備える、
Ｃ９に記載の方法。
［Ｃ１４］
前記１つまたは複数の局にアップリンクスケジューリングメッセージを送信すること、前記アップリンクスケジューリングメッセージは、前記アップリンクスケジューリングメッセージに応答して局アクセス情報メッセージを送信するように前記１つまたは複数の局に命令する、と、
複数の局アクセス情報メッセージを受信すること、前記複数の局アクセス情報メッセージの各々は、局アクセス情報を示す、と、をさらに備える、
Ｃ１に記載の方法。
［Ｃ１５］
無線通信のために構成された装置であって、
単一ユーザブロードキャストメッセージと少なくとも１つの他のメッセージとを備えるアグリゲートされたメッセージを送信のために生成するように構成されたプロセッサと、  １つまたは複数の局に前記アグリゲートされたメッセージを送信するように構成された送信機と、を備える、無線通信のために構成された装置。
［Ｃ１６］
前記少なくとも１つの他のメッセージは、制御またはスケジューリング情報を除く少なくとも１つの単一ユーザ物理層データユニット（ＰＰＤＵ）を備える、
Ｃ１５に記載の装置。
［Ｃ１７］
前記アグリゲートされたメッセージは、前記単一ユーザブロードキャストメッセージと、１つまたは複数の多ユーザメッセージと、を備える、
Ｃ１５に記載の装置。
［Ｃ１８］
前記アグリゲートされたメッセージは、前記少なくとも１つの他のメッセージが、前記１つまたは複数の局のすべてが復号するように指示される少なくともメッセージを含むかどうかを示す共通物理層ヘッダを備える、
Ｃ１５に記載の装置。
［Ｃ１９］
前記単一ユーザブロードキャストメッセージおよび前記少なくとも１つの他のメッセージは、各々、前記少なくとも１つの他のメッセージが、前記１つまたは複数の局のすべてが復号するように指示される少なくともメッセージを含むかどうかを示す物理層ヘッダを備える、
Ｃ１５に記載の方法。
［Ｃ２０］
前記単一ユーザブロードキャストメッセージは、指定された時間に複数のアップリンクデータを送信するように前記１つまたは複数の局に命令する制御情報を含む、
Ｃ１５に記載の装置。
［Ｃ２１］
前記指定された時間に前記複数のアップリンクデータの送信を受信するように構成された受信機をさらに備え、前記複数のアップリンクデータの各送信は、前記同じ継続時間を有する、
Ｃ２０に記載の装置。
［Ｃ２２］
前記単一ユーザブロードキャストメッセージおよび前記少なくとも１つの他のメッセージの各々は、アップリンクスケジューリングメッセージを備える、
Ｃ１５に記載の装置。
［Ｃ２３］
前記アップリンクスケジューリングメッセージは、アップリンクデータの送信の継続時間を示す物理層データユニット（ＰＰＤＵ）継続時間フィールドを備える、
Ｃ２２に記載の装置。
［Ｃ２４］
前記アップリンクスケジューリングメッセージは、許容された送信モードの指示を備える局（ＳＴＡ）情報フィールドを備える、
Ｃ２２に記載の装置。
［Ｃ２５］
前記局（ＳＴＡ）情報フィールドは、周波数分割多元接続（ＦＤＭＡ）システムを使用するアップリンクデータに関するトーン／周波数を示すトーン割り振りフィールドを備える、
Ｃ２４に記載の装置。
［Ｃ２６］
前記アップリンクスケジューリングメッセージは、アップリンク通信に参加することができる前記１つまたは複数の局を識別するマルチキャストアドレスを示す受信機アドレス（ＲＡ）フィールドを備える、
Ｃ２２に記載の装置。
［Ｃ２７］
前記単一ユーザブロードキャストメッセージは、前記１つまたは複数の局に関するデータ、制御、または管理情報を備える、
Ｃ１５に記載の装置。
［Ｃ２８］
前記１つまたは複数の局にアップリンクスケジューリングメッセージを送信するように構成された送信機、前記アップリンクスケジューリングメッセージは、前記アップリンクスケジューリングメッセージに応答して局アクセス情報メッセージを送信するように前記１つまたは複数の局に命令する、をさらに備え、
ここにおいて、前記装置の受信機は、複数の局アクセス情報メッセージを受信するように構成され、前記局アクセス情報メッセージは、局アクセス情報を示す、
Ｃ１５に記載の装置。
［Ｃ２９］
無線通信のための装置であって、
単一ユーザブロードキャストメッセージと少なくとも１つの他のメッセージとを備えるアグリゲートされたメッセージを生成するための手段と、
１つまたは複数の局に前記アグリゲートされたメッセージを送信するための手段と、を備える、無線通信のための装置。
［Ｃ３０］
非一時的なコンピュータ可読媒体であって、
実行されると、
単一ユーザブロードキャストメッセージと少なくとも１つの他のメッセージとを備えるアグリゲートされたメッセージを生成すること、および
１つまたは複数の局に前記アグリゲートされたメッセージを送信することを装置に行わせるコードを備える、非一時的なコンピュータ可読媒体。
【図１】
0006622281.tif 000002
【図２】
0006622281.tif 000003
【図３】
0006622281.tif 000004
【図４】
0006622281.tif 000005
【図５】
0006622281.tif 000006
【図６】
0006622281.tif 000007
【図７】
0006622281.tif 000008
【図８】
0006622281.tif 000009
【図９】
0006622281.tif 000010
【図１０】
0006622281.tif 000011
【図１１】
0006622281.tif 000012
【図１２】
0006622281.tif 000013
【図１３】
0006622281.tif 000014
【図１４】
0006622281.tif 000015
【図１５】
0006622281.tif 000016
【図１６】
0006622281.tif 000017
【図１７】
0006622281.tif 000018
【図１８】
0006622281.tif 000019
【図１９】
0006622281.tif 000020
【図２０】
0006622281.tif 000021
【図２１】
0006622281.tif 000022
【図２２】
0006622281.tif 000023
【図２３Ａ】
0006622281.tif 000024
【図２３Ｂ】
0006622281.tif 000025
【図２３Ｃ】
0006622281.tif 000026
【図２３Ｄ】
0006622281.tif 000027
【図２４】
0006622281.tif 000028